(57)【特許請求の範囲】
【請求項１】
下記を備えるアクセス端末：
シングルキャリア動作とマルチキャリア動作の両方において使用される電力増幅器を有する送信回路；および、
前記送信回路に動作可能に接続され、動作中に前記電力増幅器が飽和することを防止するための電力増幅器のヘッドルームを維持するために、前記電力増幅器に入力されるＲＦ信号のうちの１つまたは複数の部分の電力を選択的に抑制するために、前記送信回路にシグナリングするための抑制順序を確立する１つまたは複数の抑制ルールに従って動作可能に有効化される抑制制御ユニット、
ここにおいて、前記抑制ルールの下では、より重要でないチャネルが別のチャネルの前に引き下げられるように、前記電力は下記の順序で抑制される（Ｉ）１つまたは複数のオーバヘッド・チャネル、（ＩＩ）パイロット・チャネルおよびデータ・チャネル。
【請求項２】
請求項１に記載のアクセス端末、ここにおいて、
前記送信回路は、逆方向リンク上で前記ＲＦ信号を送信する。
【請求項３】
請求項２に記載のアクセス端末、ここにおいて、
前記逆方向リンクは、シングルキャリアを備え、前記抑制順序は、下記を選択的に実行するために、前記送信回路にシグナリングするように、前記抑制制御ユニットを動作可能に有効化する：
電力増幅器のヘッドルームが存在するか、または少なくとも１つのデータ・レート制御チャネルの電力が引き下げられてしまうまで前記逆方向リンク上の少なくとも１つのオーバヘッド・チャネルに関する電力を抑制すること；および、その結果、電力増幅器のヘッドルームが提供されない場合、
電力増幅器のヘッドルームが存在するまでパイロット・チャネルおよびデータ・チャネルの電力のうちの１つまたは複数を抑制すること。
【請求項４】
請求項２に記載のアクセス端末、ここにおいて、
前記逆方向リンクは、シングルキャリアを備え、前記抑制順序は、選択的に下記を実行するために、前記送信回路にシグナリングするように前記抑制制御ユニットを動作可能に有効化する：
データ・ソース制御チャネルの電力をデフォルト・レベルまで引き下げること；
電力増幅器のヘッドルームが存在するか、または前記少なくとも１つのデータ・レート制御チャネルの電力が引き下げられてしまうまで前記逆方向リンク上の少なくとも１つのデータ・レート制御チャネルに関する電力を抑制すること；
電力増幅器のヘッドルームが存在するか、または少なくとも１つの肯定応答チャネルの電力が引き下げられてしまうまで前記逆方向リンクキャリア上の前記少なくとも１つの肯定応答チャネルに関する電力を抑制すること；および、
電力増幅器のヘッドルームが存在するまで前記パイロット・チャネル、データ・チャネル、逆方向レート・インジケータ・チャネル、および前記データ・ソース制御チャネルの電力のうちの１つまたは複数を抑制すること。
【請求項５】
請求項２に記載のアクセス端末、ここにおいて、
前記逆方向リンクは、マルチキャリアを備え、前記抑制順序は、選択的に下記を実行するために、前記送信回路にシグナリングするように前記抑制制御ユニットを動作可能に有効化する： 
少なくとも１つの副次的な逆方向リンクキャリアの電力を抑制すること；および、次に
主たる逆方向リンクキャリアの電力を抑制すること。
【請求項６】
請求項２に記載のアクセス端末、ここにおいて、
前記１つまたは複数のオーバヘッド・チャネルは、下記のチャネルのうちの１つまたは複数を備える：
データ・ソース制御チャネル、データ・レート制御チャネル、肯定応答チャネル、および逆方向レート・インジケータ・チャネル。
【請求項７】
請求項２に記載のアクセス端末、ここにおいて、
前記抑制順序は、選択的に下記を実行するために、前記送信回路にシグナリングするように前記抑制制御ユニットを動作可能に有効化する：
少なくとも１つのトラフィック・チャネルを抑制すること。
【請求項８】
請求項２に記載のアクセス端末、ここにおいて、
前記抑制順序は、選択的に下記を実行するために、前記送信回路にシグナリングするように前記抑制制御ユニットを動作可能に有効化する：
少なくとも１つのパイロット・チャネルを抑制すること。
【請求項９】
請求項２に記載のアクセス端末、ここにおいて、
前記抑制順序は、選択的に下記を実行するために、前記送信回路にシグナリングするように前記抑制制御ユニットを動作可能に有効化する：
少なくとも１つのトラフィック・チャネル、および少なくとも１つのパイロット・チャネルを抑制すること。
【請求項１０】
請求項５に記載のアクセス端末、ここにおいて、
前記抑制順序は、選択的に下記を実行するために、前記送信回路にシグナリングするように前記抑制制御ユニットを動作可能に有効化する：
パイロット・チャネル、データ・チャネル、および逆方向レート・インジケータ・チャネルの電力のうちの１つまたは複数を抑制すること。
【請求項１１】
請求項５に記載のアクセス端末、ここにおいて、
前記主たる逆方向リンクキャリアの電力を抑制する前に前記少なくとも１つの副次的な逆方向リンクキャリアの電力を選択的に抑制するために、前記抑制順序は、前記送信回路にシグナリングするように前記抑制制御ユニットを動作可能に有効化する、
ここにおいて、下記を備える順序にしたがって前記少なくとも１つの副次的な逆方向リンクキャリアの電力を選択的に抑制するために、前記抑制順序は、前記送信回路にシグナリングするように前記抑制制御ユニットを動作可能に有効化する、
パイロット・チャネル、データ・チャネル、および逆方向レート・インジケータ・チャネルの電力のうちの１つまたは複数を抑制すること、
ここにおいて、下記を備える順序にしたがって前記主たる逆方向リンクキャリアの電力を選択的に抑制するために、前記抑制順序は、前記送信回路にシグナリングするように前記抑制制御ユニットを動作可能に有効化する、
データ・ソース制御チャネルの電力をデフォルト・レベルまで引き下げること；
電力増幅器のヘッドルームが存在するか、または少なくとも１つのデータ・レート制御チャネルの電力が引き下げられてしまうまで、前記逆方向リンクキャリア上の前記少なくとも１つのデータ・レート制御チャネルに関する電力を抑制すること；その結果、電力増幅器のヘッドルームが提供されない場合、
電力増幅器のヘッドルームが存在するか、または少なくとも１つの肯定応答チャネルの電力が引き下げられてしまうまで前記逆方向リンクキャリア上の前記少なくとも１つの肯定応答チャネルに関する電力を抑制すること；および、その結果、電力増幅器のヘッドルームが提供されない場合、
電力増幅器のヘッドルームが存在するまで前記パイロット・チャネル、データ・チャネル、および逆方向レート・インジケータ・チャネルの電力のうちの１つまたは複数を抑制すること。
【請求項１２】
請求項５に記載のアクセス端末、ここにおいて、
下記によって少なくとも１つの副次的な逆方向リンクキャリアの電力を選択的に抑制するために、前記抑制順序は、前記送信回路にシグナリングするように前記抑制制御ユニットを動作可能に有効化する、
パイロット・チャネルおよびデータ・チャネルの電力のうちの１つまたは複数を抑制すること。
【請求項１３】
請求項５に記載のアクセス端末、ここにおいて、
パイロット・チャネルおよびデータ・チャネルの電力のうちの１つまたは複数を抑制することによって、少なくとも１つの副次的な逆方向リンクキャリアの電力を選択的に抑制するために、前記抑制順序は、前記送信回路にシグナリングするように前記抑制制御ユニットを動作可能に有効化する、
ここにおいて、前記抑制順序は、下記によって主たる逆方向リンクキャリアの電力を選択的に抑制するために、前記送信回路にシグナリングするように前記抑制制御ユニットを動作可能に有効化する：
電力増幅器のヘッドルームが存在するか、または少なくとも１つのデータ・レート制御チャネルの電力が引き下げられてしまうまで前記主たる逆方向リンクキャリア上の前記少なくとも１つのオーバヘッド・チャネルに関する電力を抑制すること；および、その結果、電力増幅器のヘッドルームが提供されない場合、
電力増幅器のヘッドルームが存在するまで前記パイロット・チャネルおよびデータ・チャネルの電力のうちの１つまたは複数を抑制すること。
【請求項１４】
請求項５に記載のアクセス端末、ここにおいて、
下記によって少なくとも１つの副次的な逆方向リンクキャリアの電力を選択的に抑制するために、前記抑制順序が、前記送信回路にシグナリングするように前記抑制制御ユニットを動作可能に有効化する：
第１の副次的なキャリア上のパイロット・チャネル、データ・チャネル、および逆方向レート・インジケータ・チャネルの電力のうちの１つまたは複数を抑制すること；次に、
第２の副次的なキャリア上でデータ・ソース制御チャネルに関する電力をデフォルト・レベルまで引き下げること；その結果、電力増幅器のヘッドルームが提供されない場合、
電力増幅器のヘッドルームが存在するか、または前記逆方向レート・インジケータ・チャネルの電力が引き下げられてしまうまで前記第２の副次的なキャリア上の前記逆方向レート・インジケータ・チャネルの電力を抑制すること；その結果、電力増幅器のヘッドルームが提供されない場合、
電力増幅器のヘッドルームが存在するか、または少なくとも１つのデータ・レート制御チャネルの電力が引き下げられてしまうまで前記第２の副次的なキャリア上の前記少なくとも１つのデータ・レート制御チャネルに関する電力を抑制すること；その結果、電力増幅器のヘッドルームが提供されない場合、
電力増幅器のヘッドルームが存在するか、または少なくとも１つの肯定応答チャネルの電力が引き下げられてしまうまで前記第２の副次的なキャリア上の前記少なくとも１つの肯定応答チャネルに関する電力を抑制すること；および、その結果、電力増幅器のヘッドルームが提供されない場合、
電力増幅器のヘッドルームが存在するか、または少なくとも１つのパイロット・チャネルおよび前記データ・ソース制御チャネルの電力が引き下げられてしまうまで前記第２の副次的なキャリア上の前記少なくとも１つのパイロット・チャネルおよび前記データ・ソース制御チャネルに関する電力を抑制すること、ここにおいて、前記オーバヘッド・チャネルは前記データ・レート制御チャネルを含まない。
【請求項１５】
請求項５に記載のアクセス端末、ここにおいて、
前記主たる逆方向リンクキャリアの電力を抑制する前に前記少なくとも１つの副次的な逆方向リンクキャリアの電力を選択的に抑制するために、前記抑制順序は、前記送信回路にシグナリングするように前記抑制制御ユニットを動作可能に有効化する：
下記を備える順序に従って、少なくとも１つの副次的な逆方向リンクキャリアの電力を選択的に抑制するために、前記抑制順序は、前記送信回路にシグナリングするように前記抑制制御ユニットを動作可能に有効化する：
第１の副次的なキャリア上のパイロット・チャネル、データ・チャネル、および逆方向レート・インジケータ・チャネルの電力のうちの１つまたは複数を抑制すること；その結果、電力増幅器のヘッドルームが提供されない場合、
第２の副次的なキャリア上のデータ・ソース制御チャネルに関する電力を抑制すること；その結果、電力増幅器のヘッドルームが提供されない場合、
前記第２の副次的なキャリア上の前記逆方向レート・インジケータ・チャネルの電力のうちの１つまたは複数に関する電力を抑制すること；その結果、電力増幅器のヘッドルームが提供されない場合、
前記第２の副次的なキャリア上の少なくとも１つのデータ・レート制御チャネルに関する電力を抑制すること；その結果、電力増幅器のヘッドルームが提供されない場合、
前記第２の副次的なキャリア上の少なくとも１つの肯定応答チャネルに関する電力を抑制すること；その結果、電力増幅器のヘッドルームが提供されない場合、
前記第２の副次的なキャリア上の少なくとも１つのパイロット・チャネルおよび前記データ・ソース制御チャネルに関する電力を抑制すること；その結果、電力増幅器のヘッドルームが提供されない場合、
ここにおいて、下記を備える別の順序に従って、主たる逆方向リンクキャリアの電力を選択的に抑制するために、前記抑制順序は、前記送信回路にシグナリングするように前記抑制制御ユニットを動作可能に有効化する：
データ・ソース制御チャネルの電力をデフォルト・レベルまで引き下げること；その結果、電力増幅器のヘッドルームが提供されない場合、
電力増幅器のヘッドルームが存在するか、または少なくとも１つのデータ・レート制御チャネルの電力が引き下げられてしまうまで前記主たる逆方向リンクキャリア上の前記少なくとも１つのデータ・レート制御チャネルに関する電力を抑制すること；その結果、電力増幅器ヘッドルームが提供されない場合、
電力増幅器のヘッドルームが存在するか、または少なくとも１つの肯定応答チャネルの電力が引き下げられてしまうまで前記主たる逆方向リンクキャリア上の前記少なくとも１つの肯定応答チャネルに関する電力を抑制すること；および、その結果、電力増幅器のヘッドルームが提供されない場合、
電力増幅器のヘッドルームが存在するまで前記パイロット・チャネル、データ・チャネル、および逆方向レート・インジケータ・チャネルの電力のうちの１つまたは複数を抑制すること、ここにおいて、前記オーバヘッド・チャネルは前記パイロット・チャネルおよび前記データ・ソース制御チャネルを含まない。
【請求項１６】
請求項５に記載のアクセス端末、ここにおいて、
下記によって少なくとも１つの副次的な逆方向リンクキャリアの電力を選択的に抑制するために、前記抑制順序が、前記送信回路にシグナリングするように前記抑制制御ユニットを動作可能に有効化する：
第１の副次的なキャリア上の１つまたは複数のパイロット・チャネルおよびデータ・チャネルの電力を抑制すること；その結果、電力増幅器のヘッドルームが提供されない場合、
前記第２の副次的なキャリア上の１つまたは複数のデータ・チャネルの電力に関する電力を抑制すること；および、その結果、電力増幅器のヘッドルームが提供されない場合、
第２の副次的なキャリア上の少なくとも１つのオーバヘッド・チャネルに関する電力を抑制すること。
【請求項１７】
請求項５に記載のアクセス端末、ここにおいて、
下記によって少なくとも１つの副次的な逆方向リンクキャリアの電力を選択的に抑制するために、前記抑制順序が、前記送信回路にシグナリングするように前記抑制制御ユニットを動作可能に有効化する：
第１の副次的なキャリア上の１つまたは複数のパイロット・チャネルおよびデータ・チャネルの電力を抑制すること；その結果、電力増幅器のヘッドルームが提供されない場合、
前記第２の副次的なキャリア上のデータ・チャネルの電力のうちの１つまたは複数に関する電力を抑制すること；その結果、電力増幅器のヘッドルームが提供されない場合、
第２の副次的なキャリア上の少なくとも１つのオーバヘッド・チャネルに関する電力を抑制すること；
ここにおいて、下記によって主たる逆方向リンクキャリアの電力を選択的に抑制するために、前記抑制順序が、前記送信回路にシグナリングするように前記抑制制御ユニットを動作可能に有効化する：
電力増幅器のヘッドルームが存在するか、または少なくとも１つのデータ・レート制御チャネルの電力が引き下げられてしまうまで前記主たる逆方向リンクキャリア上の前記少なくとも１つのオーバヘッド・チャネルに関する電力を抑制すること；および、その結果、電力増幅器のヘッドルームが提供されない場合、
電力増幅器のヘッドルームが存在するまで前記パイロット・チャネルおよびデータ・チャネルの電力のうちの１つまたは複数を抑制すること。
【請求項１８】
逆方向リンク上で電力を抑制するための装置、該装置は下記を備える：
シングルキャリア動作とマルチキャリア動作の両方において使用されるために動作可能に有効化される電力増幅器による増幅動作に適したＲＦ信号を確立する手段；
前記１つまたは複数のキャリアの１つまたは複数のオーバヘッド・チャネル、１つまたは複数のデータ・チャネル、および／または、１つまたは複数のパイロット・チャネルと関係付けられた抑制順序を確立する１つまたは複数の抑制ルールを確立する手段；および、
動作中に前記電力増幅器が飽和することを防止するための電力増幅器のヘッドルームを維持するために、前記電力増幅器に入力される前に、前記ＲＦ信号の１つまたは複数の部分の電力を選択的に抑制する手段、なお、前記電力を選択的に抑制する手段は前記抑制順序に動作可能に応答する、
ここにおいて、前記抑制ルールの下では、より重要でないチャネルが別のチャネルの前に抑制されるように、前記電力は下記の順序で抑制される（Ｉ）１つまたは複数のオーバヘッド・チャネル、（ＩＩ）パイロット・チャネルおよびデータ・チャネル。
【請求項１９】
請求項１８に記載の逆方向リンク上の電力を抑制するための装置、ここにおいて、前記逆方向リンクは、シングルキャリアを備え、前記抑制順序に応じ、前記電力を選択的に抑制するための手段は、選択的に下記を実行するために動作可能に有効化される：
電力増幅器のヘッドルームが存在するか、または少なくとも１つのデータ・レート制御チャネルの電力が引き下げられてしまうまで前記逆方向リンクキャリア上の少なくとも１つのオーバヘッド・チャネルに関する電力を抑制すること；および、その結果、電力増幅器のヘッドルームが提供されない場合、
電力増幅器のヘッドルームが存在するまでパイロット・チャネルおよびデータ・チャネルの電力のうちの１つまたは複数を抑制すること。
【請求項２０】
請求項１８に記載の逆方向リンク上の電力を抑制するための装置、ここにおいて、前記逆方向リンクは、シングルキャリアを備え、前記抑制順序に応じ、前記電力を選択的に抑制するための手段は、選択的に下記を実行するために動作可能に有効化される：
データ・ソース制御チャネルの電力をデフォルト・レベルまで引き下げること；その結果、電力増幅器のヘッドルームが提供されない場合、
電力増幅器のヘッドルームが存在するか、または少なくとも１つのデータ・レート制御チャネルの電力が引き下げられてしまうまで前記逆方向リンクキャリア上の前記少なくとも１つのデータ・レート制御チャネルに関する電力を抑制すること；その結果、電力増幅器のヘッドルームが提供されない場合、
電力増幅器のヘッドルームが存在するか、または前記少なくとも１つの肯定応答チャネルの電力が引き下げられてしまうまで前記逆方向リンクキャリア上の少なくとも１つの肯定応答チャネルに関する電力を抑制すること；および、その結果、電力増幅器のヘッドルームが提供されない場合、
電力増幅器のヘッドルームが存在するまで前記パイロット・チャネル、データ・チャネル、逆方向レート・インジケータ・チャネル、および前記データ・ソース制御チャネルの電力のうちの１つまたは複数を抑制すること。
【請求項２１】
請求項１８に記載の逆方向リンク上の電力を抑制するための装置、ここにおいて、前記逆方向リンクは、シングルキャリアを備え、前記抑制順序に応じ、前記電力を選択的に抑制するための手段は、選択的に下記を実行するために動作可能に有効化される：
少なくとも１つの副次的な逆方向リンクキャリアの電力を抑制すること；次に、
主たる逆方向リンクキャリアの電力を抑制すること。
【請求項２２】
請求項１８に記載の逆方向リンク上の電力を抑制するための装置、ここにおいて、前記１つまたは複数のオーバヘッド・チャネルは、下記のチャネルのうちの１つまたは複数を備える：
データ・ソース制御チャネル、データ・レート制御チャネル、肯定応答チャネル、および逆方向レート・インジケータ・チャネル。
【請求項２３】
請求項１８に記載の逆方向リンク上の電力を抑制するための装置、ここにおいて、前記電力を選択的に抑制するための手段は、前記抑制順序に応じ、少なくとも１つのトラヒックチャネルを選択的に制御するように動作可能に有効化される。
【請求項２４】
請求項１８に記載の逆方向リンク上の電力を抑制するための装置、ここにおいて、前記電力を選択的に抑制するための手段は、前記抑制順序に応じ、少なくとも１つのパイロット・チャネルを選択的に制御するように動作可能に有効化される。
【請求項２５】
請求項１８に記載の逆方向リンク上の電力を抑制するための装置、ここにおいて、前記電力を選択的に抑制するための手段は、前記抑制順序に応じ、少なくとも１つのトラフィック・チャネル、および少なくとも１つのパイロット・チャネルを選択的に抑制するように動作可能に有効化される。
【請求項２６】
請求項２１に記載の逆方向リンク上の電力を抑制するための装置、ここにおいて、
少なくとも１つの副次的な逆方向リンクキャリアの電力を抑制するための前記手段は下記を備える：
パイロット・チャネル、データ・チャネル、および逆方向レート・インジケータ・チャネルの電力のうちの１つまたは複数を抑制するための手段。
【請求項２７】
請求項２１に記載の逆方向リンク上の電力を抑制するための装置、ここにおいて、
前記電力を選択的に抑制するための手段は、前記抑制順序に応じ、主たる逆方向リンクキャリアの電力を抑制する前に前記少なくとも１つの副次的な逆方向リンクキャリアの電力を選択的に抑制するために、動作可能に有効化される、
ここにおいて、前記抑制順序に応じ、パイロット・チャネル、データ・チャネル、および逆方向レート・インジケータ・チャネルの電力のうちの１つまたは複数を抑制することによって前記少なくとも１つの副次的な逆方向リンクキャリアの電力を選択的に抑制するために、前記電力を選択的に抑制するための手段は、動作可能に有効化される、
ここにおいて、前記抑制順序に応じ、下記を備える順序にしたがって電力を抑制することにより、主たる逆方向リンクキャリアの電力を選択的に抑制するために、前記電力を選択的に抑制するための手段は、動作可能に有効化される、
データ・ソース制御チャネルの電力をデフォルト・レベルまで引き下げること；その結果、電力増幅器のヘッドルームが提供されない場合、
電力増幅器のヘッドルームが存在するか、または少なくとも１つのデータ・レート制御チャネルの電力が引き下げられてしまうまで、前記逆方向リンクキャリア上の前記少なくとも１つのデータ・レート制御チャネルに関する電力を抑制すること；その結果、電力増幅器のヘッドルームが提供されない場合、
電力増幅器のヘッドルームが存在するか、または少なくとも１つの肯定応答チャネルの電力が引き下げられてしまうまで前記逆方向リンクキャリア上の前記少なくとも１つの肯定応答チャネルに関する電力を抑制すること；および、その結果、電力増幅器のヘッドルームが提供されない場合、
電力増幅器のヘッドルームが存在するまで前記パイロット・チャネル、データ・チャネル、および逆方向レート・インジケータ・チャネルの電力のうちの１つまたは複数を抑制すること。
【請求項２８】
請求項２１に記載の逆方向リンク上の電力を抑制するための装置、ここにおいて、
前記電力を選択的に抑制するための手段は、前記抑制順序に応じ、下記を選択的に実行するために動作可能に有効化される、
パイロット・チャネルおよびデータ・チャネルの電力のうちの１つまたは複数を抑制すること。
【請求項２９】
請求項２１に記載の逆方向リンク上の電力を抑制するための装置、ここにおいて、
前記電力を選択的に抑制するための手段は、前記抑制順序に応じて、下記を選択的に実行するように動作可能に有効化される：
パイロット・チャネルおよびデータ・チャネルの電力のうちの１つまたは複数を抑制することにより、少なくとも１つの副次的な逆方向リンクキャリアを抑制すること；その結果、電力増幅器のヘッドルームが提供されない場合、
前記電力を選択的に抑制するための手段は、下記によって、主たる逆方向リンクキャリアを選択的に抑制するように動作可能に有効化される：
電力増幅器のヘッドルームが存在するか、前記少なくとも１つのデータ・レート制御チャネルの電力が引き下げられてしまうまで、前記主たる逆方向リンクキャリア上の少なくとも１つのオーバヘッド・チャネルを抑制すること；および、その結果、電力増幅器のヘッドルームが提供されない場合、
電力増幅器のヘッドルームが存在するまで、前記パイロット・チャネルおよびデータ・チャネルの電力のうちの１つまたは複数を抑制すること。
【請求項３０】
請求項２１に記載の逆方向リンク上の電力を抑制するための装置、ここにおいて、
下記によって少なくとも１つの副次的な逆方向リンクキャリアを選択的に抑制するために、前記抑制順序に応じて、前記電力を選択的に抑制するための手段が、動作可能に有効化される：
第１の副次的なキャリア上のパイロット・チャネル、データ・チャネル、および逆方向レート・インジケータ・チャネルの電力のうちの１つまたは複数を抑制すること；その結果、電力増幅器のヘッドルームが提供されない場合、
第２の副次的なキャリア上でデータ・ソース制御チャネルに関する電力をデフォルト・レベルまで引き下げること；その結果、電力増幅器のヘッドルームが提供されない場合、
電力増幅器のヘッドルームが存在するか、または前記逆方向レート・インジケータ・チャネルの電力が引き下げられてしまうまで、前記第２の副次的なキャリア上の前記逆方向レート・インジケータ・チャネルの電力を抑制すること；その結果、電力増幅器のヘッドルームが提供されない場合、
電力増幅器のヘッドルームが存在するか、または少なくとも１つのデータ・レート制御チャネルの電力が引き下げられてしまうまで前記第２の副次的なキャリア上の前記少なくとも１つのデータ・レート制御チャネルに関する電力を抑制すること；その結果、電力増幅器のヘッドルームが提供されない場合、
電力増幅器のヘッドルームが存在するか、または少なくとも１つの肯定応答チャネルの電力が引き下げられてしまうまで前記第２の副次的なキャリア上の前記少なくとも１つの肯定応答チャネルに関する電力を抑制すること；および、その結果、電力増幅器のヘッドルームが提供されない場合、
電力増幅器のヘッドルームが存在するか、または少なくとも１つのパイロット・チャネルおよび前記データ・ソース制御チャネルの電力が引き下げられてしまうまで前記第２の副次的なキャリア上の前記少なくとも１つのパイロット・チャネルおよび前記データ・ソース制御チャネルに関する電力を抑制すること、ここにおいて、前記オーバヘッド・チャネルは前記データ・レート制御チャネルを含まない。
【請求項３１】
請求項２１に記載の逆方向リンク上の電力を抑制するための装置、ここにおいて、
前記主たる逆方向リンクキャリアの電力を抑制する前に、前記少なくとも１つの副次的な逆方向リンクキャリアの電力を選択的に抑制するために、前記電力を選択的に抑制するための手段は、前記抑制順序に応じて、動作可能に有効化される：
ここにおいて、前記少なくとも１つの副次的な逆方向リンクキャリアの電力を抑制することは、下記を備える：
第１の副次的なキャリア上のパイロット・チャネル、データ・チャネル、および逆方向レート・インジケータ・チャネルの電力のうちの１つまたは複数を抑制すること；その結果、電力増幅器のヘッドルームが提供されない場合、
第２の副次的なキャリア上のデータ・ソース制御チャネルに関する電力を抑制すること；その結果、電力増幅器のヘッドルームが提供されない場合、
前記第２の副次的なキャリア上の前記逆方向レート・インジケータ・チャネルの電力のうちの１つまたは複数に関する電力を抑制すること；その結果、電力増幅器のヘッドルームが提供されない場合、
前記第２の副次的なキャリア上の少なくとも１つのデータ・レート制御チャネルに関する電力を抑制すること；その結果、電力増幅器のヘッドルームが提供されない場合、
前記第２の副次的なキャリア上の少なくとも１つの肯定応答チャネルに関する電力を抑制すること；および、その結果、電力増幅器のヘッドルームが提供されない場合、
前記第２の副次的なキャリア上の少なくとも１つのパイロット・チャネルおよび前記データ・ソース制御チャネルに関する電力を抑制すること、
ここにおいて、前記主たる逆方向リンクキャリアの電力を抑制することは、下記を備える：
データ・ソース制御チャネルの電力をデフォルト・レベルまで引き下げること；その結果、電力増幅器のヘッドルームが提供されない場合、
電力増幅器のヘッドルームが存在するか、または少なくとも１つのデータ・レート制御チャネルの電力が引き下げられてしまうまで前記主たる逆方向リンクキャリア上の前記少なくとも１つのデータ・レート制御チャネルに関する電力を抑制すること；その結果、電力増幅器のヘッドルームが提供されない場合、
電力増幅器のヘッドルームが存在するか、または少なくとも１つの肯定応答チャネルの電力が引き下げられてしまうまで前記主たる逆方向リンクキャリア上の前記少なくとも１つの肯定応答チャネルに関する電力を抑制すること；および、その結果、電力増幅器のヘッドルームが提供されない場合、
電力増幅器のヘッドルームが存在するまで前記パイロット・チャネル、データ・チャネル、および逆方向レート・インジケータ・チャネルの電力のうちの１つまたは複数を抑制すること、ここにおいて、前記オーバヘッド・チャネルは前記パイロット・チャネルおよび前記データ・ソース制御チャネルを含まない。
【請求項３２】
請求項２１に記載の逆方向リンク上の電力を抑制するための装置、ここにおいて、
下記によって少なくとも１つの副次的な逆方向リンクキャリアの電力を選択的に抑制するために、前記電力を選択的に抑制するための手段は、前記抑制順序に応じて、動作可能に有効化される：
第１の副次的なキャリア上の１つまたは複数のパイロット・チャネルおよびデータ・チャネルの電力を抑制すること；その結果、電力増幅器のヘッドルームが提供されない場合に、
前記第２の副次的なキャリア上の１つまたは複数のデータ・チャネルの電力に関する電力を抑制すること；および、その結果、電力増幅器のヘッドルームが提供されない場合は、
第２の副次的なキャリア上の少なくとも１つのオーバヘッド・チャネルに関する電力を抑制すること。
【請求項３３】
請求項２１に記載の逆方向リンク上の電力を抑制するための装置、ここにおいて、
下記によって少なくとも１つの副次的な逆方向リンクキャリアを選択的に抑制するために、前記電力を選択的に抑制するための手段は、前記抑制順序に応じて、動作可能に有効化される：
第１の副次的なキャリア上の１つまたは複数のパイロット・チャネルおよびデータ・チャネルの電力を抑制すること；その結果、電力増幅器のヘッドルームが提供されない場合、
前記第２の副次的なキャリア上のデータ・チャネル電力のうちの１つまたは複数に関する電力を抑制すること、その結果、電力増幅器のヘッドルームが提供されない場合、
第２の副次的なキャリア上の少なくとも１つのオーバヘッド・チャネルに関する電力を抑制すること； ここにおいて、前記抑制順序に応じて、下記によって主たる逆方向リンクキャリアを選択的に抑制するために、前記電力を選択的に抑制するための手段は動作可能に有効化される：
電力増幅器のヘッドルームが存在するか、または前記少なくとも１つのデータ・レート制御チャネルの電力が引き下げられてしまうまで前記主たる逆方向リンクキャリア上の少なくとも１つのオーバヘッド・チャネルに関する電力を抑制すること；および、その結果、電力増幅器のヘッドルームが提供されない場合、
電力増幅器のヘッドルームが存在するまで前記パイロット・チャネルおよびデータ・チャネルの電力のうちの１つまたは複数を抑制すること。
【請求項３４】
アクセス端末において逆方向リンク上で電力を抑制するための方法、該方法は下記を備える：
シングルキャリア動作とマルチキャリア動作の両方において使用される電力増幅器を有する送信回路に対して抑制制御ユニットから少なくとも１つの信号を提供すること、ここで、抑制順序を確立する１つまたは複数の抑制ルールに少なくとも部分的には基づいて、前記抑制制御ユニットは前記少なくとも１つの信号を抑制する；
前記送信回路を使用し、前記少なくとも１つの信号に応答して、動作中に前記電力増幅器が飽和することを防止するための電力増幅器のヘッドルームを提供するために、前記電力増幅器に入力されるＲＦ信号のうちの１つまたは複数の部分の電力を選択的に抑制すること、
ここにおいて、前記抑制ルールの下では、より重要でないチャネルが別のチャネルの前に抑制されるように、前記電力は下記の順序で抑制される（Ｉ）１つまたは複数のオーバヘッド・チャネル、（ＩＩ）パイロット・チャネルおよびデータ・チャネル。
【請求項３５】
請求項３４に記載のアクセス端末において逆方向リンク上の電力を抑制する方法、ここにおいて、前記逆方向リンクは、シングルキャリアを備え、該方法は、前記送信回路を用いて実行されると共に、前記少なくとも１つの信号に応じて、下記を具備する：
電力増幅器のヘッドルームが存在するか、または少なくとも１つのデータ・レート制御チャネルの電力が引き下げられてしまうまで前記逆方向リンク上の少なくとも１つのオーバヘッド・チャネルに関する電力を抑制すること；および、その結果、電力増幅器のヘッドルームが提供されない場合、
電力増幅器のヘッドルームが存在するまでパイロット・チャネルおよびデータ・チャネルの電力のうちの１つまたは複数を抑制すること。
【請求項３６】
請求項３４に記載のアクセス端末において逆方向リンク上の電力を抑制する方法、ここにおいて、前記逆方向リンクは、シングルキャリアを備え、該方法は、前記送信回路を用いて実行されると共に、前記少なくとも１つの信号に応じて、下記を具備する：
データ・ソース制御チャネルの電力をデフォルト・レベルまで引き下げること；その結果、電力増幅器のヘッドルームが提供されない場合、
電力増幅器のヘッドルームが存在するか、または少なくとも１つのデータ・レート制御チャネルの電力が引き下げられてしまうまで前記逆方向リンクキャリア上の前記少なくとも１つのデータ・レート制御チャネルに関する電力を抑制すること；その結果、電力増幅器のヘッドルームが提供されない場合、
電力増幅器のヘッドルームが存在するか、または少なくとも１つの肯定応答チャネルの電力が引き下げられてしまうまで前記逆方向リンクキャリア上の前記少なくとも１つの肯定応答チャネルに関する電力を抑制すること；および、その結果、電力増幅器のヘッドルームが提供されない場合、
電力増幅器のヘッドルームが存在するまで前記パイロット・チャネル、データ・チャネル、逆方向レート・インジケータ・チャネル、および前記データ・ソース制御チャネルの電力のうちの１つまたは複数を抑制すること。
【請求項３７】
請求項３４に記載のアクセス端末において逆方向リンク上の電力を抑制する方法、ここにおいて、前記逆方向リンクは、マルチキャリアを備え、該方法は、前記送信回路を用いて実行されると共に、前記少なくとも１つの信号に応じて、下記を具備する：
少なくとも１つの副次的な逆方向リンクキャリアの電力を抑制すること；および、その結果、電力増幅器のヘッドルームが提供されない場合、
主たる逆方向リンクキャリアの電力を抑制すること。
【請求項３８】
請求項３４に記載のアクセス端末において逆方向リンク上の電力を抑制する方法、ここにおいて、前記１つまたは複数のオーバヘッド・チャネルは、下記のチャネルのうちの１つまたは複数を備える：
データ・ソース制御チャネル、データ・レート制御チャネル、肯定応答チャネル、および逆方向レート・インジケータ・チャネル。
【請求項３９】
請求項３４に記載のアクセス端末において逆方向リンク上の電力を抑制する方法、該方法は前記送信回路を用いて実行されると共に、前記少なくとも１つの信号に応じて、下記を具備する：
少なくとも１つのトラフィック・チャネルを抑制すること。
【請求項４０】
請求項３４に記載のアクセス端末において逆方向リンク上の電力を抑制する方法、該方法は前記送信回路を用いて実行されると共に、前記少なくとも１つの信号に応じて、下記を具備する：
少なくとも１つのパイロット・チャネルを抑制すること。
【請求項４１】
請求項３４に記載のアクセス端末において逆方向リンク上の電力を抑制する方法、該方法は前記送信回路を用いて実行されると共に、前記少なくとも１つの信号に応じて、下記を具備する：
少なくとも１つのトラフィック・チャネル、および少なくとも１つのパイロット・チャネルを抑制すること。
【請求項４２】
請求項３７に記載のアクセス端末において逆方向リンク上の電力を抑制する方法、ここで、前記少なくとも１つの副次的な逆方向リンクキャリアの電力を前記抑制することは下記を備える：
パイロット・チャネル、データ・チャネル、および逆方向レート・インジケータ・チャネルに関する電力のうちの１つまたは複数を抑制すること。
【請求項４３】
請求項３７に記載のアクセス端末において逆方向リンク上の電力を抑制する方法、該方法は、
前記送信回路を使用して実行されると共に、前記少なくとも１つの信号に応答して、前記主たる逆方向リンクキャリアの電力を抑制する前に、前記少なくとも１つの副次的な逆方向リンクキャリアの電力を抑制することを備える、ここにおいて、アクセス端末のキャリア内の少なくとも１つの副次的な逆方向リンクの電力を前記抑制することは、パイロット・チャネル、データ・チャネル、および逆方向レート・インジケータ・チャネルに関する電力のうちの１つまたは複数を抑制することを備える；および、
前記送信回路を使用して実行されると共に、前記少なくとも１つの信号に応答して、下記を備える手順に従って、主たる逆方向リンクキャリアの電力を抑制することを備える：
データ・ソース制御チャネルの電力をデフォルト・レベルまで引き下げること；その結果、電力増幅器のヘッドルームが提供されない場合、
電力増幅器のヘッドルームが存在するか、または少なくとも１つのデータ・レート制御チャネルの電力が引き下げられてしまうまで、前記逆方向リンクキャリア上の前記少なくとも１つのデータ・レート制御チャネルに関する電力を抑制すること；その結果、電力増幅器のヘッドルームが提供されない場合、
電力増幅器のヘッドルームが存在するか、または少なくとも１つの肯定応答チャネルの電力が引き下げられてしまうまで前記逆方向リンクキャリア上の前記少なくとも１つの肯定応答チャネルに関する電力を抑制すること；および、その結果、電力増幅器のヘッドルームが提供されない場合、
電力増幅器のヘッドルームが存在するまで前記パイロット・チャネル、データ・チャネル、および逆方向レート・インジケータ・チャネルの電力のうちの１つまたは複数を抑制すること。
【請求項４４】
請求項３７に記載のアクセス端末において逆方向リンク上の電力を抑制する方法、該方法は前記送信回路を使用して実行されると共に、前記少なくとも１つの信号に応答して、前記少なくとも１つの副次的な逆方向リンクキャリアの電力を下記によって抑制することを備える：
パイロット・チャネルおよびデータ・チャネルの電力のうちの１つまたは複数を抑制すること。
【請求項４５】
請求項３７に記載のアクセス端末において逆方向リンク上の電力を抑制する方法、該方法は前記送信回路を使用して実行されると共に、前記少なくとも１つの信号に応答して、下記を実行することを備える：
パイロット・チャネルおよびデータ・チャネルの電力のうちの１つまたは複数を抑制することにより、アクセス端末のキャリア内の少なくとも１つの副次的な逆方向リンクの前記電力を抑制すること；
主たる逆方向リンクキャリアの電力を下記によって抑制すること：
電力増幅器のヘッドルームが存在するか、または前記少なくとも１つのデータ・レート制御チャネルの電力が引き下げられてしまうまで前記主たる逆方向リンクキャリア上の少なくとも１つのオーバヘッド・チャネルに関する電力を抑制すること；および、その結果電力増幅器のヘッドルームが提供されない場合、
電力増幅器のヘッドルームが存在するまで前記パイロット・チャネルおよびデータ・チャネルの電力のうちの１つまたは複数を抑制すること。
【請求項４６】
請求項３７に記載のアクセス端末において逆方向リンク上の電力を抑制する方法、該方法は前記送信回路を使用して実行されると共に、前記少なくとも１つの信号に応答して、少なくとも１つの副次的な逆方向リンクキャリアの前記電力を下記によって抑制することを備える：
第１の副次的なキャリア上のパイロット・チャネル、データ・チャネル、および逆方向レート・インジケータ・チャネルの電力のうちの１つまたは複数を抑制すること；その結果、電力増幅器のヘッドルームが提供されない場合、
第２の副次的なキャリア上でデータ・ソース制御チャネルに関する電力をデフォルト・レベルまで引き下げること；その結果、電力増幅器のヘッドルームが提供されない場合、
電力増幅器のヘッドルームが存在するか、または前記逆方向レート・インジケータ・チャネルの電力が引き下げられてしまうまで前記第２の副次的なキャリア上の前記逆方向レート・インジケータ・チャネルの電力を抑制すること；その結果、電力増幅器のヘッドルームが提供されない場合、
電力増幅器のヘッドルームが存在するか、または少なくとも１つのデータ・レート制御チャネルの電力が引き下げられてしまうまで前記第２の副次的なキャリア上の前記少なくとも１つのデータ・レート制御チャネルに関する電力を抑制すること；その結果、電力増幅器のヘッドルームが提供されない場合は、
電力増幅器のヘッドルームが存在するか、または少なくとも１つの肯定応答チャネルの電力が引き下げられてしまうまで前記第２の副次的なキャリア上の前記少なくとも1つの肯定応答チャネルに関する電力を抑制すること；および、その結果、電力増幅器のヘッドルームが提供されない場合、
電力増幅器のヘッドルームが存在するか、または前記少なくとも１つのパイロット・チャネルおよび前記データ・ソース制御チャネルの電力が引き下げられてしまうまで、前記第２の副次的なキャリア上の前記少なくとも１つのパイロット・チャネルおよび前記データ・ソース制御チャネルに関する電力を抑制すること、ここにおいて、前記オーバヘッド・チャネルは前記データ・レート制御チャネルを含まない。
【請求項４７】
請求項３７に記載のアクセス端末において逆方向リンク上の電力を抑制する方法、該方法は前記送信回路を使用して実行されると共に、前記少なくとも１つの信号に応答して、前記主たる逆方向リンクキャリアの電力を抑制する前に、前記少なくとも１つの副次的な逆方向リンクキャリアの電力を抑制することを備える、
ここにおいて、前記少なくとも１つの副次的な逆方向リンクキャリアの電力を抑制することは、下記を備える：
第１の副次的なキャリア上のパイロット・チャネル、データ・チャネル、および逆方向レート・インジケータ・チャネルの電力のうちの１つまたは複数を抑制すること；その結果、電力増幅器のヘッドルームが提供されない場合、
第２の副次的なキャリア上のデータ・ソース制御チャネルに関する電力を抑制すること；その結果、電力増幅器のヘッドルームが提供されない場合、
前記第２の副次的なキャリア上の前記逆方向レート・インジケータ・チャネルの電力のうちの１つまたは複数に関する電力を抑制すること；その結果、電力増幅器のヘッドルームが提供されない場合、
前記第２の副次的なキャリア上の少なくとも１つのデータ・レート制御チャネルに関する電力を抑制すること；その結果、電力増幅器のヘッドルームが提供されない場合、
前記第２の副次的なキャリア上の少なくとも１つの肯定応答チャネルに関する電力を抑制すること；その結果、電力増幅器のヘッドルームが提供されない場合、
前記第２の副次的なキャリア上の少なくとも１つのパイロット・チャネルおよび前記データ・ソース制御チャネルに関する電力を抑制すること、
ここにおいて、前記主たる逆方向リンクキャリアの電力抑制することは、下記を備える；
データ・ソース制御チャネルの電力をデフォルト・レベルまで引き下げること；その結果、電力増幅器のヘッドルームが提供されない場合、
電力増幅器のヘッドルームが存在するか、または少なくとも１つのデータ・レート制御チャネルの電力が引き下げられてしまうまで前記主たる逆方向リンクキャリア上の前記少なくとも１つのデータ・レート制御チャネルに関する電力を抑制すること；その結果、電力増幅器のヘッドルームが提供されない場合、
電力増幅器のヘッドルームが存在するか、または少なくとも１つの肯定応答チャネルの電力が引き下げられてしまうまで前記主たる逆方向リンクキャリア上の前記少なくとも１つの肯定応答チャネルに関する電力を抑制すること；および、その結果、電力増幅器のヘッドルームが提供されない場合には、
電力増幅器のヘッドルームが存在するまで前記パイロット・チャネル、データ・チャネル、および逆方向レート・インジケータ・チャネルのうちの１つまたは複数を抑制すること、ここにおいて、前記オーバヘッド・チャネルは前記パイロット・チャネルおよび前記データ・ソース制御チャネルを含まない。
【請求項４８】
請求項３４に記載のアクセス端末において逆方向リンク上の電力を抑制する方法、該方法は前記送信回路を使用して実行されると共に、前記少なくとも１つの信号に応答して、少なくとも１つの副次的な逆方向リンクキャリアの電力を下記によって抑制することを備える：
第１の副次的なキャリア上の１つまたは複数のパイロット・チャネル、およびデータ・チャネルの電力を抑制すること；その結果、電力増幅器のヘッドルームが提供されない場合、
前記第２の副次的なキャリアの上で、１つまたは複数のデータ・チャネルに関する電力を抑制すること；および、その結果、電力増幅器のヘッドルームが提供されない場合、
第２の副次的なキャリア上で少なくとも１つのオーバヘッド・チャネルに関する電力を抑制すること。
【請求項４９】
請求項３４に記載のアクセス端末において逆方向リンク上の電力を抑制する方法、該方法は前記送信回路を使用して実行されると共に、前記少なくとも１つの信号に応答して、少なくとも１つの副次的な逆方向リンクキャリアの電力を下記によって抑制することを備える：
第１の副次的なキャリア上のパイロット・チャネル、およびデータ・チャネルの電力のうちの１つまたは複数を抑制すること；その結果、電力増幅器のヘッドルームが提供されない場合、
前記第２の副次的なキャリアの上で、１つまたは複数のデータ・チャネルに関する電力を抑制すること；その結果、電力増幅器のヘッドルームが提供されない場合、
第２の副次的なキャリア上で少なくとも１つのオーバヘッド・チャネルに関する電力を抑制すること；
ここにおいて、主たる逆方向リンクキャリアの電力を抑制することは下記を備える：
電力増幅器のヘッドルームが存在するか、または前記少なくとも１つのデータ・レート制御チャネルの電力が引き下げられてしまうまで前記主たる逆方向リンクキャリア上の少なくとも１つのオーバヘッド・チャネルに関する電力を抑制すること；および、その結果、電力増幅器のヘッドルームが提供されない場合、
電力増幅器のヘッドルームが存在するまで前記パイロット・チャネルおよびデータ・チャネルの電力のうちの１つまたは複数を抑制すること。
【請求項５０】
前記ＲＦ信号の前記１つまたは複数の部分は、１つまたは複数のキャリアと関係付けられ、１つまたは複数のオーバヘッド・チャネル、１つまたは複数のデータ・チャネル、および／または、１つまたは複数のパイロット・チャネル、を備える、請求項１に記載のアクセス端末。
【請求項５１】
前記ＲＦ信号の前記１つまたは複数の部分は、１つまたは複数のキャリアと関係付けられ、１つまたは複数のオーバヘッド・チャネル、１つまたは複数のデータ・チャネル、および／または、１つまたは複数のパイロット・チャネル、を備える、請求項１８に記載の装置。
【請求項５２】
前記ＲＦ信号の前記１つまたは複数の部分は、１つまたは複数のキャリアと関係付けられ、１つまたは複数のオーバヘッド・チャネル、１つまたは複数のデータ・チャネル、および／または、１つまたは複数のパイロット・チャネル、を備える、請求項３４に記載の方法。
【発明の詳細な説明】
【技術分野】
【０００１】
本特許出願は概してマルチキャリア無線通信システムに関し、より詳細には逆方向リンクの電力の抑制に関する。
【背景技術】
【０００２】
本出願は、２００５年７月１８日に出願され、本出願の譲受人に譲渡され、参照により本明細書に明示的に援用される「Ｍｅｔｈｏｄ  ａｎｄ  Ａｐｐａｒａｔｕｓ  ｆｏｒ  Ｒｅｖｅｒｓｅ  Ｌｉｎｋ  Ｔｈｒｏｔｔｌｉｎｇ  ｉｎ  ａ  Ｍｕｌｔｉ−Ｃａｒｒｉｅｒ  Ｗｉｒｅｌｅｓｓ  Ｃｏｍｍｕｎｉｃａｔｉｏｎ  Ｓｙｓｔｅｍ」と題された米国仮出願（米国特許出願第６０／７００，５３２号）の利益を主張するものである。
【０００３】
通信システム１００は、単一の搬送周波数または複数の搬送周波数を使用することができる。無線通信システム１００において、順方向リンクはアクセスネットワーク（ＡＮ）１２０から遠隔局１０６（またはアクセス端末１０６）への通信を指す一方、逆方向リンクは遠隔局１０６からネットワーク１２０への通信を指す。（ＡＴ１０６は遠隔局、移動局、または加入者局としても知られている。また、アクセス端末（ＡＴ）１０６は移動可能であるか、または固定であってよい）。各リンクは、様々な数の搬送周波数を組み込むことができる。参照番号１０２Ａから１０２Ｇまでがセルを指し、参照番号１６０Ａから１６０Ｇまでが基地局を指し、参照番号１０６Ａから１０６Ｇまでがアクセス端末を指す図１Ａにおいて、セルラ通信システム１００の一例が示される。
【０００４】
通信システム１００は、ＨＤＲ規格で仕様が定められたような高データ・レート（ｈｉｇｈ  ｄａｔａ  ｒａｔｅ）（ＨＤＲ）オーバーレイ・システムを有する符号分割多元接続（ＣＤＭＡ）システムであってよい。ＡＮ１２０は、ＡＴ、ならびにシステム内の任意のその他のＡＴ１０６と無線インターフェースを用いて通信する。ＡＮ１２０は、各セクタが少なくとも１つのチャネルを提供する複数のセクタを含む。チャネルは、所与の周波数割り当て内の、ＡＮ１２０とＡＴ１０６の間の伝送のための通信リンクの組として定義される。チャネルは順方向リンクおよび逆方向リンクからなる。
【０００５】
高データ・レート加入者局１０６は、本明細書においてモデム・プール・トランシーバ（ｍｏｄｅｍ  ｐｏｏｌ  ｔｒａｎｓｃｅｉｖｅｒｓ）（ＭＰＴ）１６０と呼ばれる１つまたは複数のＨＤＲ基地局１６０と無線インターフェースを介して通信することができる。アクセス端末１０６は、本明細書においてモデム・プール・コントローラ（ｍｏｄｅｍ  ｐｏｏｌ  ｃｏｎｔｒｏｌｌｅｒ）（ＭＰＣ）１３０と呼ばれるＨＤＲ基地局コントローラ１３０に対して１つまたは複数のモデム・プール・トランシーバ１６０を通じてデータパケットを送信および受信する。モデム・プール・トランシーバ１６０およびモデム・プール・コントローラ１３０はアクセスネットワーク（ＡＮ）１２０の一部である。アクセスネットワーク１２０は、企業のイントラネットまたはインターネットなどの、アクセスネットワーク１２０の外部の追加的なネットワーク１０４にさらに接続されることができ、各アクセス端末１０６とそのような外部ネットワークとの間でデータパケットを伝達することができる。１つまたは複数のモデム・プール・トランシーバ１６０とのアクティブなトラフィック・チャネル接続を確立したアクセス端末１０６は、アクティブなアクセス端末１０６と呼ばれ、トラフィック状態にあると言われる。１つまたは複数のモデム・プール・トランシーバ１３０とのアクティブなトラフィック・チャネル接続を確立する過程にあるアクセス端末１０６は、接続セットアップ状態にあると言われる。アクセス端末１０６は、無線チャネルを通じて、または例えば光ファイバもしくは同軸ケーブルを使用する有線チャネルを通じて通信する任意のデータ・デバイスであってよい。さらに、アクセス端末１０６は、ＰＣカード、コンパクト・フラッシュ、外付けもしくは内蔵モデム、または無線もしくは有線電話を含むがこれらに限定されないいくつかの種類のデバイスのうちのいずれかであってよい。その通信リンクを通じてアクセス端末１０６がモデム・プール・トランシーバ１６０に信号を送信する通信リンクは逆方向リンクと呼ばれる。その通信リンクを通じてモデム・プール・トランシーバ１６０がアクセス端末１０６に信号を送信する通信リンクは順方向リンクと呼ばれる。
【０００６】
図１Ｂは、例示的なＣＤＭＡ通信システムの簡略化された機能ブロック図である。基地局コントローラ１３０は、ネットワーク１０４と、地理的領域全体にわたって散在する全ての基地局１６０との間のインターフェースを提供するために使用されることができる。説明を容易にするため、１つの基地局１６０のみが示される。概して、地理的領域は、セル１０２として知られるより小さな領域にさらに分割される。各基地局１６０は、それぞれの自分のセル内の全ての加入者局１０６にサービスを提供するように構成される。いくつかの高トラフィック・アプリケーションにおいて、セル１０２は、各セクタにサービスを提供する基地局１６０を有するセクタに分割されることができる。記載された例示的実施形態において、３つの加入者局１０６Ａ〜Ｃが基地局１６０と通信しているところが示される。各加入者局１０６Ａ〜Ｃは、基地局コントローラ１３０の制御下にある１つまたは複数の基地局１６０を通じてネットワーク１０４にアクセスするか、またはその他の加入者局１０６と通信することができる。
【０００７】
最近の通信システムは、複数のユーザが共通の通信媒体にアクセスすることを可能にするように設計される。時分割多元接続（ＴＤＭＡ）、周波数分割多元接続（ＦＤＭＡ）、空間分割多元接続、偏波分割多元接続、符号分割多元接続（ＣＤＭＡ）、およびその他の同様の多元接続技術などの多数の多元接続技術が当技術分野で知られている。多元接続の概念は、共通の通信リンクに対する複数のユーザのアクセスを可能にするチャネル割り当て方法である。チャネル割り当ては、具体的な多元接続技術に応じて様々な形態を取ることができる。例として、ＦＤＭＡシステムにおいて、総周波数スペクトルがいくつかのより小さなサブバンドに分割され、各ユーザが、通信リンクにアクセスするためのそのユーザ独自のサブバンドを与えられる。代替として、ＴＤＭＡシステムにおいて、各ユーザは、周期的に繰り返されるタイムスロットの間、周波数スペクトル全体を与えられる。ＣＤＭＡシステムにおいて、各ユーザは全ての時間について周波数スペクトルの全体を与えられるが、そのユーザの伝送をコードの使用を通じて区別する。
【０００８】
多元接続通信システムにおいて、ユーザー容量を増加させるために、複数のユーザーの間の相互干渉を減らすための技術が利用されることが多い。例として、各ユーザーの送信電力を所望のサービス品質を達成するために必要な送信電力に制限するために電力制御技術が使用されることができる。このアプローチは、各ユーザーが必要な最小限の電力だけを送信するが、それより高い電力を送信せず、それによってその他のユーザーによって認識される雑音全体に最小の可能な寄与しかしないことを保証する。これらの電力制御技術は、複数チャネル機能を有するユーザーをサポートする多元接続通信システムにおいてはより複雑になる。ユーザの送信電力を制限することに加えて、割り当て電力が、性能を最適化するやり方で複数のチャネルの間でバランスを取られなければならない。
【０００９】
複数の加入者局１０６の間の相互干渉を減らすために電力制御システムが採用されることができる。所望のサービス品質を達成するために順方向リンクおよび逆方向リンクの両方の送信電力を制限するために電力制御システムが使用されることができる。例示の目的で、利得計算の技法が逆方向リンクに関して説明されるが、当業者が容易に理解するであろうようにこれらの利得計算の技法は順方向リンクに対しても等しく適用可能である。
【００１０】
概して、逆方向リンクの送信電力が２つの電力制御ループを用いて制御される。第１の電力制御ループは開制御ループである。開制御ループは、経路損失と、基地局１６０の負荷の影響と、高速フェージングおよびシャドーイングなどの環境的に引き起こされる現象との関数として逆方向リンクの送信電力を制御するように設計される。この開制御ループの推定プロセスは、ＣＤＭＡ通信システムにおいてよく知られている。
【００１１】
第２の電力制御ループは閉制御ループである。閉制御ループは、基地局１６０において所望のＳＮ比（ＳＮＲ）を達成するために開ループの推定値を修正する機能を有する。これは、基地局１６０において逆方向リンクの送信電力を測定することと、逆方向リンクの送信電力を調整するために加入者局１０６にフィードバックを提供することとによって遂行されることができる。フィードバック信号は、基地局１６０における測定された逆方向リンクの送信電力を電力制御設定点（ｐｏｗｅｒ  ｃｏｎｔｒｏｌ  ｓｅｔ  ｐｏｉｎｔ）と比較することによって生成される逆方向電力制御（ｒｅｖｅｒｓｅ  ｐｏｗｅｒ  ｃｏｎｔｒｏｌ）（ＲＰＣ）コマンドの形態であることができる。測定された逆方向リンクの送信電力が設定点未満である場合、逆方向リンクの送信電力を増加させるためにＲＰＣアップ・コマンドが加入者局１０６に与えられる。測定された逆方向リンクの送信電力が設定点を超える場合、逆方向リンクの送信電力を減少させるためにＲＰＣダウン・コマンドが加入者局１０６に与えられる。
【００１２】
開制御ループおよび閉制御ループは、様々な逆方向リンクのチャネル構造の送信電力を制御するために使用されることができる。例として、一部のＣＤＭＡ通信システムにおいて、逆方向リンクの波形は、基地局１６０に音声およびデータ・サービスを搬送するためのトラフィックチャネルと、音声およびデータのコヒーレント復調のために基地局１６０によって使用されるパイロット・チャネルとを含む。これらのシステムにおいて、開制御ループおよび閉制御ループは、パイロット・チャネルの逆方向リンク電力を制御するために使用されることができる。性能を最適化するために、そのとき、パイロット・チャネルの電力はトラフィック・チャネルの電力とバランスを取られることができる。具体的には、各チャネルが、ウォルシュ関数によって生成される一意的な直交符号によって拡散されることができる。そのとき、最適なトラフィック対パイロット・チャネル電力比を維持するために、トラフィック・チャネルに対して、ある利得が適用されることができる。
【００１３】
この原理は、逆方向リンクの波形内の追加的なチャネルに拡張されることができる。可変のデータ・レートを有するＣＤＭＡ通信システムにおいて、例えば、データ・レート制御（ｄａｔａ  ｒａｔｅ  ｃｏｎｔｒｏｌ）（ＤＲＣ）メッセージを含むＤＲＣチャネルが、一般的には逆方向リンクの送信によってサポートされる。可変データ・レート・モードにおいて、順方向リンクの送信のデータ・レートはＤＲＣメッセージによって決定される。典型的には、ＤＲＣメッセージは加入者局１０６において実行されるキャリア対干渉（ｃａｒｒｉｅｒ−ｔｏ−ｉｎｔｅｒｆｅｒｅｎｃｅ）（Ｃ／Ｉ）推定に基づく。このアプローチは、基地局１６０が可能な最も高いレートで順方向リンクのデータを効率的に送信するためのメカニズムを提供する。可変のデータ・レートの要求スキームをサポートする例示的なＣＤＭＡ通信システムは、高データ・レート（ＨＤＲ）通信システムである。典型的には、ＨＤＲ通信システムは、「３．ｓｕｐ．ｒｄ  Ｇｅｎｅｒａｔｉｏｎ  Ｐａｒｔｎｅｒｓｈｉｐ  Ｐｒｏｊｅｃｔ」と呼ばれるコンソーシアムによって公表された「ｃｄｍａ２０００  Ｈｉｇｈ  Ｒａｔｅ  Ｐａｃｋｅｔ  Ｄａｔａ  Ａｉｒ  ｉｎｔｅｒｆａｃｅ  Ｓｐｅｃｉｆｉｃａｔｉｏｎ」、３ＧＰＰ２  Ｃ．Ｓ００２４、Ｖｅｒｓｉｏｎ  ２、２０００年１０月２７日などの１つまたは複数の標準に従うように設計される。
【００１４】
開制御ループおよび閉制御ループは、様々な逆方向リンクのチャネル構造の送信電力を制御するために使用されることができる。例えば、「Ｓｙｓｔｅｍｓ  ａｎｄ  Ｔｅｃｈｎｉｑｕｅｓ  ｆｏｒ  Ｃｈａｎｎｅｌ  Ｇａｉｎ  Ｃｏｍｐｕｔａｔｉｏｎｓ」と題された米国特許第６，５９４，５０１号は、合計の逆方向リンク送信電力が送信器の最大電力性能を超える場合に、パイロット・チャネルに対するデータ・レート制御チャネル（ＤＲＣ）および肯定応答（ＡＣＫ）チャネルの所定の電力比を抑制する、または引き下げることを開示する。
【特許文献１】米国特許出願第６０／７００，５３２号
【特許文献２】米国特許第６，５９４，５０１号
【非特許文献１】「ｃｄｍａ２０００  Ｈｉｇｈ  Ｒａｔｅ  Ｐａｃｋｅｔ  Ｄａｔａ  Ａｉｒ  ｉｎｔｅｒｆａｃｅ  Ｓｐｅｃｉｆｉｃａｔｉｏｎ」、３ＧＰＰ２  Ｃ．Ｓ００２４、Ｖｅｒｓｉｏｎ  ２、２０００年１０月２７日
【発明の概要】
【００１５】
上述のことを考慮して、概して、本発明の説明される特徴は、通話（ｃｏｍｍｕｎｉｃａｔｉｏｎ  ｓｐｅｅｃｈ）のための１つまたは複数の改善されたシステム、方法、および／または装置に関する。
【００１６】
一実施形態において、本特許出願は、処理ユニットと、処理ユニットに動作可能に接続されたメモリと、処理ユニットに動作可能に接続された受信回路と、シングル・キャリア動作およびマルチ・キャリア動作の両方で使用される電力増幅器（ＰＡ）を有する、処理ユニットに動作可能に接続される送信回路と、電力増幅器に十分なヘッドルームを与えるように電力を抑制するように適合された、電力増幅器に動作可能に接続された抑制制御ユニットとを含むアクセス端末を含む。
【００１７】
別の実施形態において、抑制制御ユニットは単一のキャリアを有する逆方向リンク上の電力を抑制するようにさらに適合され、データ・ソース制御（ｄａｔａ  ｓｏｕｒｃｅ  ｃｏｎｔｒｏｌ）（ＤＳＣ）チャネルの電力をデフォルト・レベルまで引き下げるステップと、十分なＰＡのヘッドルームが存在するか、またはＤＲＣ電力が引き下げられてしまうまで主たる逆方向リンク（ＲＬ）キャリア上の少なくとも１つのＤＲＣチャネルに関する電力を抑制するステップと、十分なＰＡのヘッドルームが存在するか、またはＡＣＫ電力が引き下げられてしまうまで主たる逆方向リンク・キャリア上の少なくとも１つのＡＣＫチャネルに関する電力を抑制するステップと、十分なヘッドルームが存在するまでパイロット・チャネル電力、データ・チャネル電力、または逆方向レート・インジケータ（ｒｅｖｅｒｓｅ  ｒａｔｅ  ｉｎｄｉｃａｔｏｒ）（ＲＲＩ）チャネル電力のうちの１つまたは複数を抑制するステップとを含む。
【００１８】
別の実施形態において、抑制制御ユニットは複数のキャリアを有する逆方向リンク上の電力を抑制するようにさらに適合され、１つの主たるＲＬキャリアの電力を抑制するステップと、少なくとも１つの副次的なＲＬキャリアの電力を抑制するステップとを含み、主たるＲＬキャリアの電力を抑制するステップは、データ・ソース制御チャネルに関する電力をデフォルト・レベルまで引き下げるステップと、少なくとも１つのデータ・レート制御チャネルに関する電力を抑制するステップと、少なくとも１つの肯定応答チャネルに関する電力を抑制するステップと、パイロット・チャネル電力、データ・チャネル電力、または逆方向レート・インジケータ・チャネル電力のうちの１つまたは複数を抑制するステップとを含み、少なくとも１つの副次的な逆方向リンクキャリアの電力を抑制するステップは、第１の副次的なキャリア上のパイロットチャネル電力、データチャネル電力、または逆方向レートインジケータチャネル電力のうちの１つまたは複数を抑制することと、第２の副次的なキャリア上のデータチャネル電力または逆方向レートインジケータチャネル電力のうちの１つまたは複数を抑制することと、第２の副次的なキャリア上の少なくとも１つのデータ転送速度制御チャネルに関する電力を抑制することと、第２の副次的なキャリア上の少なくとも１つの肯定応答チャネルに関する電力を抑制することと、第２の副次的なキャリア上の少なくとも１つのパイロット・チャネルに関する電力を抑制することとを含む。
【図面の簡単な説明】
【００１９】
【図１Ａ】セルラ通信システムの図である。
【図１Ｂ】ＣＤＭＡ通信システムにおいて動作するように適合された例示的な加入者局の簡素化された機能ブロック図である。
【図２】高データ・レート（ＨＤＲ）伝送をサポートし、複数のユーザに対する送信をスケジューリングするように適合された通信システムの一例を示す図である。
【図３】ＣＤＭＡ通信システムにおいて動作するように適合された例示的な加入者局の機能ブロック図である。
【図４】図１Ｂの加入者局からの例示的な送信器利得制御および送信器の機能ブロック図である。
【図５】図４の送信器利得制御によって実行される引き下げ方法を示す流れ図である。
【図６】図４の送信機利得制御によって実行される代替的な引き下げ方法を示す流れ図である。
【図７】本特許出願によるアクセス端末（ＡＴ）を示す図である。
【図８】割り当てられた逆方向リンク（ＲＬ）の数が１に等しい場合に、電力増幅器に入力される送信電力を減らすために実行されるステップを開示する流れ図である。
【図９】電力増幅器に入力される送信電力を減らすために実行されるステップを開示する流れ図である。
【図１０】非対称モードにおいて、逆方向リンクが単一のキャリアを有し、順方向リンクがマルチキャリアを有し、ＰＡのヘッドルームが十分でない場合に、電力増幅器に入力される送信電力を減らすために実行されるステップを開示する流れ図である。
【図１１】割り当てられた逆方向リンク（ＲＬ）キャリアの数が１を超える場合に、電力増幅器に入力される送信電力を減らすために実行されるステップを開示する流れ図である。
【図１２】いくつかの副次的な逆方向リンクキャリア上でＤＲＣチャネルおよびＡＣＫチャネルを送信し、ＰＡのヘッドルームが十分でない場合に、電力増幅器に入力される送信電力を減らすために実行されるステップを開示する流れ図である。
【図１３】主たる逆方向リンクキャリア上で全てのＤＲＣチャネルおよびＡＣＫチャネルを送信し、ＰＡのヘッドルームが十分でない場合に、電力増幅器に入力される送信電力を減らすために実行されるステップを開示する流れ図である。
【図１４】割り当てられた逆方向リンクＲＬキャリアの数が１を超えており、全てのＲＬキャリアに関してＴｘＴ２Ｐ≦ＴｘＴ２Ｐｍｉｎである場合に、電力増幅器に入力される送信電力を減らすために実行されるステップを開示する流れ図である。
【図１５】いくつかの副次的な逆方向リンクキャリア上でＤＲＣチャネルおよびＡＣＫチャネルを送信し、ＰＡのヘッドルームが十分でない場合に、電力増幅器に入力される送信電力を減らすために実行されるステップを開示する流れ図である。
【図１６】いくつかの副次的な逆方向リンクキャリア上でＤＲＣチャネルおよびＡＣＫチャネルを送信し、ＰＡのヘッドルームが十分でない場合に、電力増幅器に入力される送信電力を減らすために実行されるステップを開示する流れ図である。
【図１７】主たる逆方向リンクキャリア上で全てのＤＲＣチャネルおよびＡＣＫチャネルを送信し、ＰＡのヘッドルームが十分でない場合に、電力増幅器に入力される送信電力を減らすために実行されるステップを開示する流れ図である。
【図１８】当技術分野で知られているＷＣＤＭＡプロトコル構造の一例である。
【図１９】割り当てられた逆方向リンク（ＲＬ）の数が１に等しい場合に、電力増幅器に入力される送信電力を減らすための手段を示す機能ブロック図である。
【図２０】電力増幅器に入力される送信電力を減らすための手段を示す機能ブロック図である。
【図２１】非対称モードにおいて、逆方向リンクが単一のキャリアを有し、順方向リンクがマルチキャリアを有し、ＰＡのヘッドルームが十分でない場合に、電力増幅器に入力される送信電力を減らすための手段を示す機能ブロック図である。
【図２２】割り当てられた逆方向リンクＲＬキャリアの数が１を超える場合に、電力増幅器に入力される送信電力を減らすための手段を示す機能ブロック図である。
【図２３】いくつかの副次的な逆方向リンクキャリア上でＤＲＣチャネルおよびＡＣＫチャネルを送信し、ＰＡのヘッドルームが十分でない場合に、電力増幅器に入力される送信電力を減らすための手段を示す機能ブロック図である。
【図２４】主たる逆方向リンクキャリア上で全てのＤＲＣチャネルおよびＡＣＫチャネルを送信し、ＰＡのヘッドルームが十分でない場合に、電力増幅器に入力される送信電力を減らすための手段を示す機能ブロック図である。
【図２５】割り当てられた逆方向リンクＲＬキャリアの数が１を超えており、全てのＲＬキャリアに関してＴｘＴ２Ｐ≦ＴｘＴ２Ｐｍｉｎである場合に、電力増幅器に入力される送信電力を減らすための手段を示す機能ブロック図である。
【図２６】いくつかの副次的な逆方向リンクキャリア上でＤＲＣチャネルおよびＡＣＫチャネルを送信し、ＰＡのヘッドルームが十分でない場合に、電力増幅器に入力される送信電力を減らすための手段を示す機能ブロック図である。
【図２７】いくつかの副次的な逆方向リンクキャリア上でＤＲＣチャネルおよびＡＣＫチャネルを送信し、ＰＡのヘッドルームが十分でない場合に、電力増幅器に入力される送信電力を減らすための手段を示す機能ブロック図である。
【図２８】主たる逆方向リンクキャリア上で全てのＤＲＣチャネルおよびＡＣＫチャネルを送信し、ＰＡのヘッドルームが十分でない場合に、電力増幅器に入力される送信電力を減らすための手段を示す機能ブロック図である。
【発明を実施するための形態】
【００２０】
添付の図面と合わせて以下で説明される詳細な説明は、本発明の例示的実施形態の説明として意図されており、本発明が実施されることができる全ての実施形態を示すように意図されていない。この説明を通して使用される用語「例示的」は「例、具体例、または事例としての役割を果たす」ことを意味し、必ずしも好ましいと、またはその他の実施形態よりも有利であると解釈されるべきではない。詳細な説明は、本発明の完全な理解を提供する目的の具体的詳細を含む。しかし、本発明がこれらの具体的詳細なしに実施され得ることは当業者に明らかであろう。いくつかの場合、本発明の概念を曖昧にすることを避けるために、よく知られた構造およびデバイスがブロック図の形態で示される。
【００２１】
通信システムの例示的実施形態において、システムによってサポートされることができるユーザー数を増大するために電力制御システムが使用されることができる。マルチチャネル機能を有するユーザーに関して、チャネル間の相対的な送信電力のバランスを取るために利得計算の技法が採用されてもよい。利得計算は、１つまたは複数のチャネルに関する送信電力を制御する電力推定プロセスを通じて実行されてもよい。総送信電力がユーザーの電力制限を超える場合、１つまたは複数のチャネルの利得を減らすために、系統化された引き下げ手順が使用されることが可能である。
【００２２】
これらの利得計算の技法の様々な態様がＣＤＭＡ通信システムとの関連で説明されるが、当業者は、複数のチャネルの利得計算のためのそれらの技術が種々のその他の通信環境における使用に同様に適することを理解するであろう。したがって、ＣＤＭＡ通信システムに対する任意の言及は、本発明の独創的な態様が広範な応用を有するという認識のもとでそのような独創的な態様を説明するようにのみ意図される。
【００２３】
ＣＤＭＡは、スペクトル拡散通信に基づく変調および多元接続スキームである。ＣＤＭＡ通信システムにおいて、多数の信号が同じ周波数スペクトルを共有し、結果としてユーザー容量の増大をもたらす。これは、キャリアを変調し、それによって信号波形のスペクトルを拡散する異なる擬似ランダム雑音（ＰＮ）符号を用いて各信号を送信することによって遂行される。送信信号は、対応するＰＮ符号を用いて所望の信号のスペクトルを逆拡散する相関器によって受信機内で分離される。ＰＮ符号が合致しない望ましくない信号は帯域幅内に逆拡散されず、雑音にのみ寄与する。
【００２４】
データ送信に関して、ＡＮ１２０はＡＴ１０６からデータ要求を受信する。データ要求は、データが送信されるべきデータ・レート、送信されるデータパケットの長さ、およびデータが送信されるべきセクタを指定する。ＡＴ１０６は、ＡＮ１２０とＡＴ１０６の間のチャネルの品質に基づいてデータ・レートを決定する。一実施形態において、チャネルの品質は、キャリア対干渉比Ｃ／Ｉによって決定される。代替の実施形態は、チャネルの品質に対応するその他の評価指標を使用することができる。ＡＴ１０６は、ＤＲＣチャネルと呼ばれる特定のチャネルを介してデータ・レート制御メッセージを送信することによってデータ送信の要求を提供する。ＤＲＣメッセージは、データ・レート部分とセクタ部分を含む。データ・レート部分は、ＡＮ１２０がデータを送信するための要求されるデータ・レートを示し、セクタは、ＡＮ１２０がデータを送信すべきセクタを示す。典型的には、データ・レートおよびセクタ情報の両方が、データ送信を処理するために必要とされる。データ・レート部分はＤＲＣ値（ＤＲＣ  ｖａｌｕｅ）と呼ばれ、セクタ部分はＤＲＣカバー（ＤＲＣ  ｃｏｖｅｒ）と呼ばれる。ＤＲＣ値は、無線インターフェースを介してＡＮ１２０に送信されるメッセージである。一実施形態において、各ＤＲＣ値は、所定のＤＲＣ値の割り当てに従って関係付けられたパケット長を有するｋｂｉｔ／ｓｅｃで表されたデータ・レートに対応する。割り当ては、ゼロのデータ・レートを指定するＤＲＣ値を含む。実際には、ゼロのデータ・レートは、ＡＴ１０６がデータを受信することができないことをＡＮ１２０に示す。例えばある状況においては、チャネルの品質が、ＡＴ１０６がデータを正しく受信するために十分でない。
【００２５】
動作中、ＡＴ１０６は、ＡＴ１２６が次のデータ・パケット伝送を受信することができるデータ・レートを計算するためにチャネルの品質を継続的に監視してもよい。次に、ＡＴ１０６は対応するＤＲＣ値を生成し、ＤＲＣ値はデータ送信を要求するためにＡＮ１２０に送信される。典型的には、データ送信はパケットに分割されることに留意されたい。データ・パケットを送信するために要求される時間は、適用されるデータ・レートの関数である。
【００２６】
このＤＲＣ信号は、各キューと関係付けられた遠隔局１０６のそれぞれに関して情報を消費する（即ち、送信データを受信する）瞬間的なレートを決定するためにチャネル・スケジューラ１３２（以下を参照）が使用する情報も提供する。一実施形態によれば、任意の遠隔局１０６から送信されるＤＲＣ信号は、当該遠隔局１０６が複数の実効データ・レートのうちのいずれか１つでデータを受信することができることを示す。
【００２７】
ＨＤＲ伝送をサポートし、複数のユーザーに対する送信をスケジューリングするように適合された通信システム１００の一例が図２に示される。具体的には基地局１６０および基地局コントローラ１３０がパケット・ネットワーク・インターフェース１４６とのインターフェースを取る図２が以下で詳細に説明される。基地局コントローラ１３０は、通信システム１００内の送信に関するスケジューリング・アルゴリズムを実行するためのチャネル・スケジューラ１３２を含む。チャネル・スケジューラ１３２は、遠隔局１０６の（最も新しく受信されたＤＲＣ信号中に示されたとおりに）データを受信するための関連する瞬間的なレートに基づいて、データが任意の特定の遠隔局１０６にその間に送信されるべきサービス間隔の長さを決定する。サービス間隔は時間的に連続していない可能性があるが、ｎスロット毎に１回発生する可能性がある。一実施形態によれば、パケットの第１の部分が第１のスロット中に第１の時間において送信され、第２の部分が４スロット後に後続の時間において送信される。同様に、パケットの任意の後続の部分が、同様の４スロットの幅を有する、すなわち、互いに４スロット離れた複数のスロットにおいて送信される。一実施形態によれば、データを受信する瞬間的なレートＲｉが、特定のデータキューに関係付けられたサービス間隔の長さＬｉを決定する。
【００２８】
さらに、チャネルスケジューラ１３２は、送信のための特定のデータキュー１７２を選択する。次に、送信されるべき関連する量のデータが、データキュー１７２から取り出され、データキュー１７２に関連する遠隔局１０６への送信のためにチャネル要素１６８に提供される。以下で検討されるように、チャネル・スケジューラ１３２はデータを提供するためのキュー１７２を選択し、そのデータはキュー１７２のそれぞれに関係付けられた重みを含む情報を使用して次のサービス間隔において送信される。次に、送信されたキュー１７２に関係付けられた重みが更新される。
【００２９】
基地局コントローラ１３０は、パケット・ネットワーク・インターフェース１４６、公衆交換電話網（ＰＳＴＮ）１４８、および通信システム１００内の全ての基地局１６０（簡単にするために図２においては１つの基地局１６０のみが示される）とのインターフェースを取る。基地局コントローラ１３０は、通信システム１００内の遠隔局１０６と、パケット・ネットワーク・インターフェース１４６およびＰＳＴＮ１４８に接続されたその他のユーザーとの間の通信を調整する。ＰＳＴＮ１４８は、（図２に示されない）標準的な電話網を通じてユーザーとのインターフェースを取る。
【００３０】
簡単にするために図２においては１つの選択器要素１３６のみが示されているが、基地局コントローラ１３０は多くの選択器要素１３６を含む。各選択器要素１３６は、１つまたは複数の基地局１６０と１つの遠隔局１０６（図示せず）の間の通信を制御するように割り当てられる。選択器要素１３６が所与の遠隔局１０６に割り当てられていない場合、呼制御プロセッサ１４１が、当該遠隔局１０６を呼び出す必要を知らされる。次に、呼制御プロセッサ１４１は、基地局１６０に遠隔局１０６を呼び出すように命令する。
【００３１】
データ・ソース１２２は、所与の遠隔局１０６に送信されるべき多量のデータを含む。データ・ソース１２２は、パケット・ネットワーク・インターフェース１４６にデータを提供する。パケット・ネットワーク・インターフェース１４６はデ―タを受信し、当該データを選択器要素１３６にルーティングする。次に、選択器要素１３６は、目的の遠隔局１０６と通信している各基地局１６０にデータを送信する。例示的実施形態において、各基地局１６０は、遠隔局１０６に送信されるべきデータを記憶するデータキュー１７２を保持する。
【００３２】
データは、データキュー１７２からチャネル要素１６８へデータ・パケットで送信される。例示的実施形態において、順方向リンク上で、「データ・パケット」は、最大１０２４ビットであり、所定の「タイムスロット」（＝１．６６７ｍｓｅｃなど）の間に送信先遠隔局１０６に送信されるべき一定量のデータである一定量のデータを指す。各データ・パケットに対して、チャネル要素１６８は必要な制御フィールドを挿入する。例示的実施形態において、チャネル要素１６８は、データ・パケットおよび制御フィールドの巡回冗長検査（ＣＲＣ）符号化を実行し、１組の符号末尾のビットを挿入する。データ・パケット、制御フィールド、ＣＲＣパリティビット、および符号末尾のビットは、フォーマットされたパケットを構成する。例示的実施形態において、次に、チャネル要素１６８は、フォーマットされたパケットを符号化し、符号化されたパケット内のシンボルをインタリーブする（または並べ替える）。例示的実施形態において、インタリーブされたパケットはウォルシュ符号によってカバーされ、短いＰＮＩおよびＰＮＱ符号によって拡散される。拡散されたデータは、信号を直交変調し、フィルタリングし、増幅するＲＦユニット１７０に供給される。順方向リンク信号は、アンテナ１６５を通じて無線で順方向リンクに送信される。
【００３３】
遠隔局１０６において、順方向リンク信号はアンテナによって受信され、受信器４０８にルーティングされる。受信器４０８は、信号をフィルタリングし、増幅し、直交復調し、量子化する。ディジタル化された信号は、その信号が短いＰＮＩおよびＰＮＱ符号によって逆拡散され、ウォルシュ・カバー（Ｗａｌｓｈ  ｃｏｖｅｒ）によってデカバーされる復調器（ＤＥＭＯＤ）２５６に提供される。復調されたデータは、基地局１６０において行われた信号処理機能の逆、具体的には、逆インタリーブ、復号化、およびＣＲＣ検査機能を実行する復号化器２５８に提供される。復号化されたデータはデータ・シンクに提供される。
【００３４】
上で指摘されたように、ハードウェアが、順方向リンク上のデータ、メッセージング、ビデオ、およびその他の通信の可変レート伝送をサポートする。データキュー１７２から送信されるデータのレートは、遠隔局１０６における信号強度の変化および雑音環境に対応するために変化する。遠隔局１０６のそれぞれは、各タイムスロットにおいて関係付けられた基地局１６０にＤＲＣ信号を送信することが好ましい。ＤＲＣ信号は、遠隔局１０６の識別情報と、遠隔局１０６がそれと関係付けられたデータキュー１７２からデータを受信することになるレートとを含む情報を基地局１０６に提供する。したがって、遠隔局１０６における回路が信号強度を測定し、遠隔局１０６における雑音環境を推定して、ＤＲＣ信号で送信されるべきレート情報を決定する。
【００３５】
各遠隔局１０６によって送信されたＤＲＣ信号は逆方向リンク・チャネルを伝わり、ＲＦユニット１７０に結合された受信アンテナ１６５を通じて基地局１６０において受信される。例示的実施形態において、ＤＲＣ情報はチャネル要素１６８において復調され、基地局コントローラ１３０内に配置されたチャネル・スケジューラ１７４に提供されるか、または基地局１６０内に配置されたチャネル・スケジューラ１３２に提供される。第１の例示的実施形態において、チャネル・スケジューラ１７４が基地局１６０内に配置される。代替の実施形態において、チャネル・スケジューラ１３２が基地局コントローラ１３０内に配置され、基地局コントローラ１３０内の全ての選択器要素１３６に接続する。
【００３６】
これらのＨＤＲ通信システム１００において、パイロット・チャネルの電力が、ＤＲＣチャネルおよびＡＣＫチャネルの電力とバランスを取られることもできる。このプロセスは、ウォルシュ関数によって生成される一意的な直交符号によってＤＲＣチャネルおよびＡＣＫチャネルのそれぞれを拡散することを伴う。そのとき、最適なＤＲＣ対パイロット・チャネル電力比を維持するためにＤＲＣチャネルにＤＲＣ利得が適用されることができる。同様に、最適なＡＣＫ対パイロット・チャネル電力比を維持するためにＡＣＫチャネルにＡＣＫ利得が適用されることもできる。
【００３７】
ＨＤＲ通信システム１００において動作する例示的な加入者局１０６の機能ブロック図が図３に示される。例示的加入者局１０６は、両方ともアンテナ２５２に結合された受信器および送信器を含む。受信器は、ＲＦフロントエンド２５４、復調器２５６、および復号化器２５８を含む。送信器は符号化器２５９、変調器２６０を含み、ＲＦフロントエンド２５４を受信器と共有する。送信器は、後でより詳細に検討されることになるやり方で逆方向リンクの送信電力を制御するための送信器利得制御２６４も含む。
【００３８】
ＲＦフロントエンド２５４はアンテナ２５２に結合される。フロントエンド２５４の受信器部分は、アンテナ２５２によって受信された信号をダウンコンバートし、フィルタリングし、増幅し、ディジタル化する。ＲＦフロントエンド２５４の受信器部分は、ディジタル化された信号のダイナミックレンジを最大化するためのＡＧＣ（図示せず）も含む。ＡＧＣは、開ループ電力制御の推定の間に基地局１６０と加入者局１０６の間の経路損失を計算するために送信器利得制御２６４によって利用されることができる。そのとき、ＲＦフロントエンド２５４の受信器部分からのディジタル化された信号は、その信号が短いＰＮ符号を用いて直交復調され、ウォルシュ符号によってデカバーされ、長いＰＮ符号を使用して逆スクランブルされる復調器２５６に結合されることができる。次に、復調された信号は、順方向誤り訂正のために復号化器２５８に提供されることができる。復調器２５６は、逆方向リンク伝送からＲＰＣコマンドを抽出するために使用されることもでき、そのＲＰＣコマンドを閉ループ電力制御の計算のために送信器利得制御２６４に提供することができる。
【００３９】
送信器は、典型的には逆方向リンク・トラフィック・チャネルの畳み込み符号化およびインタリーブを提供する符号化器２５９を含む。符号化されたトラフィック・チャネルは、そのトラフィック・チャネルがウォルシュ・カバーによって拡散され、送信器利得制御２６４によって計算されたトラフィック・チャネル利得（ＧＴ）によって増幅される変調器２６０に提供される。また、パイロット・チャネル、ＤＲＣチャネル、およびＡＣＫチャネルも、それらのチャネルがそれぞれ異なるウォルシュ・カバーによって拡散され、送信器利得制御２６４によって計算されたそれぞれのチャネル利得（ＧＰ）、（ＧＤ）、および（ＧＡ）によって増幅される変調器２６０に提供される。次に、チャネルは合成され、長いＰＮ符号を用いて拡散され、短いＰＮ符号を用いて直交変調される。直交変調された信号は、アンテナ２５２を通じた無線による順方向リンクの送信のためにその信号がアップコンバートされ、フィルタリングされ、増幅されるＲＦフロントエンド２５４の送信器部分に提供される。ＲＦフロントエンド２５４の送信器部分における直交変調された信号の増幅は、送信器利得制御２６４からのＡＧＣ信号によって制御される。
【００４０】
例示的な送信器利得制御２６４と、変調器２６０と、ＲＦフロントエンド２５４の送信器部分との機能ブロック図が図４に示される。送信器利得制御２６４は、パイロット・チャネル、トラフィック・チャネル、ＤＲＣチャネル、およびＡＣＫチャネルに関する利得を計算するための電力および利得の計算ブロック３０２を含む。利得計算は、パイロット・チャネルに対するトラフィックチャネル、ＤＲＣチャネル、およびＡＣＫチャネルの所定の電力比に基づく。ＤＲＣチャネルおよびＡＣＫチャネルの所定の電力比を「抑制すること」または「引き下げること」によって電力制限条件の下でチャネル利得を下げるためにフィードバック・ループが使用されることができる。フィードバック・ループは、リミッタ３０４および電力抑制ブロック３０６を含む。リミッタ３０４は、所定の電力比から生じる総計の逆方向リンク送信電力が送信器の最大電力性能を超えるかどうかを判定する。送信機の最大電力性能は、ＲＦフロントエンド２５４の可変利得増幅器（ＶＧＡ）３０８および電力増幅器（図示せず）によって制限される。記載の例示的実施形態において、電力および利得の計算ブロック３０２は、所定の電力比と、パイロット・チャネルに関する推定された逆方向リンク電力とに基づいて総計の逆方向リンク送信電力も計算する。結果として得られる総計の逆方向リンク送信電力が送信器の電力性能を超える場合、電力抑制ブロック３０６が、後でより詳細に説明されることになるやり方でＤＲＣチャネルおよびＡＣＫチャネルに関する電力比を引き下げるために使用される。
【００４１】
送信器利得制御２６４は、例として組み込み通信ソフトウェアを含む種々のテクノロジーを用いて実装されることができる。組み込み通信ソフトウェアは、プログラム可能なディジタル信号プロセッサ（ＤＳＰ）上で実行されることができる。代替として、送信器利得制御２６４は、ソフトウェア・プログラムを実行する汎用プロセッサ、特定用途向け集積回路（ＡＳＩＣ）、フィールド・プログラマブル・ゲートアレイ（ＦＰＧＡ）もしくはその他のプログラマブル・ロジック・デバイス、離散的なゲートもしくはトランジスタ・ロジック、離散的なハードウェア・コンポーネント、またはそれらの任意の組合せを用いて実装されることができる。
【００４２】
記載の例示的実施形態において、パイロット・チャネルに対するトラフィック・チャネル、ＤＲＣチャネル、およびＡＣＫチャネルの電力比が、チャネル利得を計算するために使用されることができる。したがって、利得計算がなされる前にフィードバック・ループを使用して最初に適切な電力比が決定される場合、計算の複雑性は削減されることができる。上で説明されたように、総計の逆方向リンク送信電力が送信器の最大電力性能を超える場合にパイロット・チャネルに対するＤＲＣチャネルおよびＡＣＫチャネルの所定の電力比を「抑制する」または「引き下げる」ためにフィードバック・ループが使用される。総計の逆方向リンク送信電力は以下の式を解くことによって計算されることができる。
【数１】
0005425861.tif 000002
【００４３】
ここで、
ＰＴはトラフィック対パイロット・チャネル電力比であり、
ＰＤはＤＲＣ対パイロット・チャネル電力比であり、
βＤはＤＲＣ電力比を引き下げるために使用される値であり、
ＰＡはＡＣＫ対パイロット・チャネル電力比であり、
βＡはＡＣＫ電力比を引き下げるために使用される値である。
【００４４】
「パイロットチャネル電力」は２つの電力制御ループによって推定される。開制御ループ３１０は、受信器からのＡＧＣの平均値に基づいてパイロット・チャネル上の要求される送信電力の推定値を生成する。次に、公称の基地局１６０の負荷（ｎｏｍｉｎａｌ  ｂａｓｅ  ｓｔａｔｉｏｎ  １６０  ｌｏａｄｉｎｇ）および実効放射電力（ＥＲＰ）に関して、当技術分野においてよく知られている手段によって開ループ推定値が計算されることができる。公称の基地局１６０の負荷およびＥＲＰからの変動に関する情報が基地局１６０から加入者局１０６に伝達されることができ、当技術分野においてよく知られている手段によって開ループ推定値を調整するために使用されることができる。
【００４５】
復調器２５６から復元されたＲＰＣコマンドに基づいて現在の閉ループ推定値をインクリメントまたはデクリメントするために閉制御ループ３１２が使用されることができる。結果として得られる閉ループ推定値は、加算器３１４によって開ループ推定値と合計される。開ループ推定値と閉ループ推定値との合計は、パイロット・チャネルに関する総計の逆方向リンク電力をもたらす。この合計は、この合計が式（１）における「パイロットチャネル電力」として使用される電力および利得の計算ブロック３０２に提供される。
【００４６】
トラフィック対パイロット・チャネル電力比ＰＴは、様々なやり方で計算されることができる。少なくとも１つの実施形態において、トラフィック対パイロット・チャネル電力比は、実証的分析、シミュレーション、実験、または所望のサービス品質を達成するための任意のその他の手段のいずれかによって、逆方向リンク伝送によってサポートされる各データ・レートに対して予め決められることができる。例として、少なくとも１つのシミュレーションにおいて、９．６ｋのデータ・レートに対してトラフィック対パイロット・チャネル比は−２．２５ｄＢから９ｄＢまでの間であることができることが示された。データ・レートが３８．４ｋまで増加される場合、トラフィック対パイロットチャネル電力比は３．７５ｄＢから１５ｄＢまでの間であるべきである。当業者は、それらの特定のアプリケーションによってサポートされる全てのデータ・レートに対して適切なトラフィック対パイロット・チャネル電力比の値を容易に決定することができるであろう。これらの所定の電力比の値は基地局１６０において記憶されることができ、その基地局１６０のそれぞれのセルまたはセクタ内の各加入者局１０６に順方向リンク制御チャネル上で送信されることができる。代替として、所定の電力比の値は、加入者局１０６において記憶または計算されることができる。
【００４７】
ＤＲＣ対パイロット・チャネル電力比ＰＤおよびＡＣＫ対パイロット・チャネル電力比ＰＡも、様々なやり方で計算されることができる。トラヒック対パイロット・チャネル電力比と同様に、ＤＲＣ電力比およびＡＣＫ電力比は、実証的分析、シミュレーション、実験、または所望のサービス品質を達成するための任意のその他の手段のいずれかによって予め決められることができる。例示的なＨＤＲ通信システムの少なくとも１つの実施形態において、ＤＲＣ対パイロット・チャネル電力比は１ｄＢ刻みで−９ｄＢから６ｄＢまでの間の値を取ることができ、ＡＣＫ対パイロット・チャネル電力比は同様に１ｄＢ刻みで−３ｄＢから６ｄＢまでの間の値を取ることができる。これらの所定の電力比の値は基地局１６０において記憶されることができ、その基地局１６０のそれぞれのセルまたはセクタ内の各加入者局１０６に制御チャネル上で送信されることができる。代替として、所定の電力比の値は、加入者局１０６において記憶または計算されることができる。
【００４８】
式（１）から総逆方向リンク送信電力を計算するために、チャネル電力比の値が以下のように線形領域に変換されることができる。
【数２】
0005425861.tif 000003
【数３】
0005425861.tif 000004
【数４】
0005425861.tif 000005
【００４９】
電力抑制ブロック３０６が、電力制限条件の下でＤＲＣチャネルおよびＡＣＫチャネルの電力比を下げるために使用される。電力抑制ブロック３０６は、ＤＲＣ電力比およびＡＣＫ電力比をそれぞれスケーリングするために値βＤおよびβＡを生成し、それらの値を電力および利得の計算ブロック３０２にフィードバックすることによってこれを遂行することができる。ＤＲＣおよびＡＣＫの値は、線形領域においてそれぞれ以下のように表されることができる。
【数５】
0005425861.tif 000006
【数６】
0005425861.tif 000007
【００５０】
上式から、当業者は、ＤＲＣ対パイロット・チャネル電力比の１ｄＢの減少が式（５）における「ＤＲＣｂａｃｋｏｆｆ」を１に設定することによって達成されることができることを容易に理解するであろう。ＡＣＫ対パイロット・チャネル電力比の２ｄＢの減少が式（６）における「ＡＣＫｂａｃｋｏｆｆ」を２に設定することによって達成されることができる。したがって、任意の逐次的な減少スキームが、特定の設計パラメータおよび特定の通信アプリケーションに応じて実装されることができる。
【００５１】
記載された例示的実施形態において、各チャネルに関する電力比がそれらの所定の最適なまたは所望の値に設定されるように値βＤおよびβＡを１に設定するようにして、式（１）における「総電力」が、電力および利得の計算ブロック３０２によって初めに計算される。計算された「総電力」はリミッタ３０４に提供される。リミッタ３０４は、計算された「総電力」を送信器の最大電力性能と比較する。計算された「総電力」が送信器の電力制限を超える場合、逆方向リンクのデータ・レートが、総計の逆方向リンク送信電力を減らすために引き下げられることができる。減少したデータ・レートに応答して、電力および利得の計算ブロック３０２が、減少したデータ・レートに対応する新しい所定のトラフィック対パイロット・チャネル電力比を選択する。次に、「総電力」が電力および利得の計算ブロック３０２によって再計算されることができ、送信器の最大電力性能との比較のためにリミッタ３０４に提供されることができる。計算された「総電力」が送信器の電力性能内に入るか、または逆方向リンクのデータ・レートが通信システム１２０によってサポートされる最低データ・レートまで下げられるまでこの手順が継続する。
【００５２】
通信システムによってサポートされる最低データ・レートにおいて電力および利得の計算ブロック３０２によって計算された「総電力」が送信器の最大電力性能を超える場合、リミッタ３０４が、ＲＰＣアップ・コマンドが無視されるように閉制御ループ３１２に歯止めをかけるために使用されることができる。これは、ＲＰＣアップ・コマンドに応答して現在の閉ループ推定値を一定に維持し、ＲＰＣダウン・コマンドに応答して現在の閉ループ推定値を減少させることによって遂行されることができる。いくつかの実施形態において、歯止めをかけることは、逆方向リンク送信電力が最小の動作閾値よりも少ない場合にＲＰＣダウン・コマンドが無視されるように送信器電力レベルの両方の限界点においてサポートされることができる。
【００５３】
リミッタ３０４は、電力および利得の計算ブロックによって計算された「総電力」が送信器の最大電力性能内に入るまでＤＲＣチャネルおよびＡＣＫチャネルの片方または両方に関する電力比を系統的に減少させるために電力抑制ブロック３０６が「引き下げ」アルゴリズムを実行して値βＤおよびβＡを調整することも可能にする。値βＤおよびβＡが小さくされるやり方と、チャネルの電力比の結果として得られる逐次的な減少とは、システムの用途および全体的な設計の制約に応じて変わることができる。
【００５４】
例示的な引き下げ方法を示す流れ図が図５に示される。初めに、ステップ４０２において、引き下げアルゴリズムを有効化するためにリミッタが使用される。いったん引き下げ方法が有効化されると、ＤＲＣ電力ループ４０４が開始される。ＤＲＣ電力ループ４０４において、ステップ４０６でＤＲＣ対パイロット・チャネル電力比が１ｄＢ引き下げられることができる。これは、式（５）の「ＤＲＣｂａｃｋｏｆｆ」が１であるとしてＤＲＣ値βＤを再計算することによって遂行されることができる。代替として、式（５）における「ＤＲＣｂａｃｋｏｆｆ」は、ＤＲＣ対パイロット・チャネル電力比の所望の減少を達成するための任意の値に設定されることができる。いずれの場合も、再計算されたＤＲＣ値βＤが電力および利得の計算ブロック３０２にフィードバックされることができる。次に「総電力」が再計算され、総計の逆方向リンク送信電力が送信器の最大電力性能内にあるかどうかを判定するためにリミッタ３０４に提供されることができる。
【００５５】
ステップ４０８において、リミッタ３０４からの結果が利得抑制ブロックに提供される。再計算された「総電力」が送信器の最大電力性能内にある場合、ステップ４１０において電力抑制ブロック３０６が無効化される。反対に、再計算された「総電力」がまだ送信器の最大電力性能を超えている場合、ステップ４１２において、電力抑制ブロック３０６は、ＤＲＣチャネルが「オン」状態のままであるかどうかを判定する。ＤＲＣ  βＤが０または何らかのその他の最小の閾値を超えている場合にＤＲＣチャネルは「オン」状態にあると判定される。ＤＲＣチャネルが「オン」状態のままである場合、該方法はステップ４０６にループして戻り、式（５）の「ＤＲＣｂａｃｋｏｆｆ」をＤＲＣ対パイロット・チャネル比の２ｄＢの減少をもたらす２に設定することによってＤＲＣ対パイロットチャネル電力比をもう１ｄＢ下げる。この引き下げ方法は、ステップ４１０において電力抑制ブロック３０６が無効化されるか、またはＤＲＣ値βＤが最小の閾値より下に下げられるかのいずれかまでＤＲＣ電力ループ４０４に留まる。万が一、ＤＲＣ値βＤが最小の閾値より下に下げられた場合、この引き下げアルゴリズムはＤＲＣ電力利得ループ４０４を抜け、ＡＣＫ電力ループ４１６に入る。
【００５６】
ＡＣＫ電力ループ４１６において、ステップ４１８でＡＣＫ対パイロット・チャネル電力比が１ｄＢ引き下げられることができる。これは、式（６）の「ＡＣＫｂａｃｋｏｆｆ」が１であるとしてＡＣＫ値βＡを再計算することによって遂行されることができる。代替として、式（６）における「ＡＣＫｂａｃｋｏｆｆ」は、ＡＣＫ対パイロット・チャネル電力比の所望の減少を達成するための任意の値に設定されることができる。いずれの場合も、再計算されたＡＣＫ値βＡが電力および利得の計算ブロックにフィードバックされることができる。次に「総電力」が再計算され、総計の逆方向リンク送信電力が送信器の最大電力性能内にあるかどうかを判定するためにリミッタ３０４に提供されることができる。
【００５７】
ステップ４２０において、リミッタ３０４からの結果が利得抑制ブロックに提供される。再計算された「総電力」が送信器の最大電力性能内にある場合、ステップ４２４において電力抑制ブロック３０６が無効化される。反対に、再計算された「総電力」がまだ送信器の最大電力性能を超えている場合、電力抑制ブロック３０６がＡＣＫチャネルが「オン」状態のままであるかどうかを判定する。ＡＣＫ値βＡが０または何らかのその他の最小の閾値を超えている場合にＡＣＫチャネルは「オン」状態にあると判定される。ＡＣＫチャネルが「オン」状態のままである場合、該方法はステップ４１８にループして戻り、式（６）の「ＡＣＫｂａｃｋｏｆｆ」をＡＣＫ対パイロット・チャネル比の２ｄＢの減少をもたらす２に設定することによってＡＣＫ対パイロット・チャネル電力比をもう１ｄＢ下げる。この引き下げ方法は、ステップ４２４において電力抑制ブロック３０６が無効化されるか、またはＡＣＫ値βＡが最小の閾値より下に下げられるかのいずれかまでＡＣＫ電力ループ４１６に留まる。万が一、ＡＣＫ値βＡが最小の閾値より下に下げられた場合、ステップ４２４において、この引き下げアルゴリズムはＡＣＫ電力ループを抜けることによって無効化される。その場合、総計の逆方向リンク送信電力を送信器の最大電力性能内にするためにその他の電力削減技術が使用されることができる。
【００５８】
図５に関連して説明された引き下げ方法の例示的実施形態は、ＤＲＣチャネルおよびＡＣＫチャネルの所定の電力比によっては計算負荷が高い可能性がある。例として、ＤＲＣチャネルおよびＡＣＫチャネルの所定の電力比がそれぞれ最大６ｄＢに設定される場合、ＤＲＣ電力比およびＡＣＫ電力比を引き下げるために、ＤＲＣ電力ループ４０４の１６回の通過、およびＡＣＫ電力ループ４１６の１０回の通過が必要とされることがある可能性がある。潜在的な計算の複雑性を減少させるために、単一のステップでＤＲＣ値βＤを計算し、必要に応じて単一のステップでＡＣＫ値βＡを計算する代替的な引き下げ方法が実行されることができる。これは様々なやり方で遂行されることができる。例として、総電力対パイロット・チャネル電力比を定義し、その電力比を送信器の最大電力性能に関する値に設定することによって、関心のある値について解くために式（１）が操作されることができる。これは、以下のように線形領域で式（１）を書き換えることによって遂行されることができる。
【数７】
0005425861.tif 000008
【数８】
0005425861.tif 000009
【００５９】
ここで、Ｒは引き下げ方法を有効化する前の総電力対パイロット・チャネル電力比を表し、ＲＭは値βＤおよびβＡを計算した後のＲの許容される最大の値である。
【００６０】
式（７）および（８）を利用する例示的方法を示す流れ図が図６に示される。ステップ５０２において、総電力対パイロット・チャネル電力比Ｒが計算される。ステップ５０４において、計算された電力比が許容される最大の総電力対パイロット・チャネル電力比ＲＭと比較される。Ｒ≦ＲＭである場合、ＤＲＣおよびＡＣＫ電力比は引き下げを必要としない。その場合、ステップ５０６において、値βＤおよびβＡが電力抑制ブロック３０６によって１に設定され、電力および利得の計算ブロック３０２にフィードバックされる。反対に、ＲがＲＭを超えている場合、ステップ５０８においてＤＲＣ値βＤが計算されることができる。
【００６１】
ＤＲＣ値βＤは、式（８）においてＡＣＫ値βＡを１に設定し、ＤＲＣ値βＤについて解くことによって計算されることができる。ＡＣＫ値βＡが１に設定される場合、式（８）は次のように書き換えられることができる。
【数９】
0005425861.tif 000010
【００６２】
ステップ５１０において、結果として得られるＤＲＣ値の計算は、その値が正であるかどうかを判定するために調べられる。βＤ≧０である場合、計算されたＤＲＣ値βＤは、ＤＲＣ対パイロット・チャネル電力比を、「総電力」の計算が結果として送信器の最大電力性能内となるようなレベルまで下げる。その場合、ステップ５１２において、ＡＣＫ値βＡが１に設定され、計算されたＤＲＣ値βＤと一緒に電力および利得の計算ブロック３０２にフィードバックされる。反対に、ＤＲＣ値βＤが負である場合、ステップ５１４において、ＤＲＣチャネルはＤＲＣ値βＤを０に設定することによってゲート・オフされる。
【００６３】
いったんＤＲＣチャネルがゲート・オフされると、ステップ５１６において、ＡＣＫバルブβＡ値が計算されることができる。ＡＣＫ値βＡは、式（８）においてＤＲＣ値βＤを０に設定し、ＡＣＫ値βＡについて解くことによって計算されることができる。ＤＲＣ値βＤが０に設定される場合、式（８）は次のように書き換えられることができる。
【数１０】
0005425861.tif 000011
【００６４】
ステップ５１８において、結果として得られるＡＣＫ値の計算は、その値が正であるかどうかを判定するために調べられる。βＡ≧０である場合、計算されたＡＣＫ値βＡは、ＡＣＫ対パイロット・チャネル電力比を電力および利得の計算ブロック３０２による「総電力」の計算が結果として送信器の最大電力性能内となるようなレベルまで下げる。その場合、ステップ５２０において、ＤＲＣ値βＤが０に設定され、計算されたＡＣＫ値βＡと一緒に電力および利得の計算ブロック３０２にフィードバックされる。反対に、ＡＣＫ値βＡが負である場合、ステップ５２２において、ＡＣＫチャネルはＡＣＫ値βＡを０に設定することによってゲート・オフされる。
【００６５】
電力抑制ブロック３０６によって実装される引き下げ方法にかかわらず、いったんリミッタ３０４が総計の逆方向リンク送信電力が送信器の最大電力性能内にあると判定すると、電力および利得の計算ブロック３０２は、トラフィック・チャネル、ＤＲＣチャネル、ＡＣＫチャネル、およびパイロット・チャネルに関する利得を計算する。利得はディジタル領域でそれらのそれぞれのチャネルに適用されるので、変調器２６０において利得が調整されたチャネルが足し合わされるときのビット数の増加を防ぐために利得をスケーリングすることが有利である。これは、以下のように、利得をそれらの２乗の合計が１に等しいように設定することによって遂行されることができる。
【数１１】
0005425861.tif 000012
【００６６】
式（１１）は各チャネル利得について以下のように解かれることができる。
【数１２】
0005425861.tif 000013
【数１３】
0005425861.tif 000014
【数１４】
0005425861.tif 000015
【数１５】
0005425861.tif 000016
【００６７】
再び図４を参照すると、電力および利得の計算ブロック３０２によって計算されたチャネル利得が変調器２６０に結合されることができる。変調器２６０は、符号化器２５９からの符号化されたトラフィック・チャネルをウォルシュ関数を用いて拡散するために使用される混合器３１６Ｂを含む。パイロット・チャネル、ＤＲＣチャネル、およびＡＣＫチャネルも、それらのチャネルがそれぞれ異なるウォルシュ・カバーによって拡散される混合器３１６Ａ、３１６Ｃ、および３１６Ｄにそれぞれ提供される。ウォルシュ・カバーされたトラフィック、パイロット、ＤＲＣ、およびＡＣＫチャネルは、電力および利得の計算ブロック３０２によって計算されたそれぞれの利得が適用される利得要素３１８Ａ〜Ｄにそれぞれ提供される。利得要素３１８Ａ〜Ｄの出力は、それらの出力がパイロット・チャネルと合成される加算器３２０に提供される。次に、合成されたチャネルは、それらのチャネルが長いＰＮ符号を使用して拡散される混合器３２２に結合される。次に、拡散されたチャネルは、同相（Ｉ）成分および直交（Ｑ）成分を有する複素信号に分割される。複素信号は、ＲＦフロントエンド２５４の送信器部分に出力される前に混合器３２４Ａおよび３２４Ｂによって短いＰＮ符号を用いて直交変調される。
【００６８】
直交変調された信号の帯域外成分を阻止するために複素ベースバンドフィルタ３２６がＲＦフロントエンド２５４への入力に置かれる。フィルタリングされた複素信号は、加算器３３０によって合成される前にその信号がキャリア波形に変調される直交混合器３２８Ａおよび３２８Ｂに提供される。次に、合成信号が、アンテナを通じた逆方向リンクの送信の電力を制御するためのＶＧＡ３０８に提供される。電力および利得の計算ブロック３０２からのＡＧＣ信号が、ＶＧＡ３０８の利得を設定するために使用される。ＡＧＣ信号は、式（１）から電力および利得の計算ブロック３０２によって計算された「総電力」に基づく。
【００６９】
回線交換システムにおける送信のスケジューリングは、各ユーザーに対して優先度関数が定義されるプロポーショナル・フェア・アルゴリズム（ｐｒｏｐｏｒｔｉｏｎａｌ  ｆａｉｒ  ａｌｇｏｒｉｔｈｍ）を含むことができる。プロポーショナル・フェア・アルゴリズムの一例が以下に示される。優先度関数は、所与のユーザーに対する要求されたデータ・レート、典型的にはユーザーに対する順方向リンク・チャネルの品質の関数、およびユーザーに対するスループットを考慮に入れてもよい。したがって、容量はまずは、スループットと比較して高い要求されたデータ・レートを有するユーザーにサービスを提供することによってバランスを取られることができる。
【００７０】
一実施形態によれば、パケット交換システムにおける送信のスケジューリングは、ユーザーの遅延を用いて容量のバランスを取る。アプリケーション・フロー（Ａｐｐｌｉｃａｔｉｏｎ  ｆｌｏｗｓ）が、独立した自己充足的なメッセージであるデータグラムとしてネットワーク上で送信される。一般的に、データグラムの到着、到着時間、および内容は保証されない。同じアプリケーション・フローと関係付けられたデータグラムが同じユーザーに異なる経路によって送信される可能性がある。データグラムは受信器において再度組み立てられる。
【００７１】
この検討において示されるケースは、ｉ）マルチキャリア逆方向リンクと、ｉｉ）非対称モードと呼ばれるマルチキャリア順方向リンクおよびシングルキャリア逆方向リンクとを含む。本特許出願は、以下の実施形態、すなわち、ｉ）シングルキャリアＲＬの実施形態と、ｉｉ）マルチキャリアＲＬの実施形態とに関するＲＬ電力抑制のルールを提供する。リソースを節約し、その他の遠隔局１０６から基地局１６０等へのようなその他の通信に対する干渉を減らすために逆方向リンク上の電力を抑制する必要がある。一実施形態において、抑制は、電力増幅器（ＰＡ）３０８の制約を満たすために電力を減らすことを指示するために使用される。マルチキャリア・システムにおいて、ＡＮ１２０は、どれが主たるキャリアであり、どれが副次的なキャリアであるかを示すトラフィック・チャネル割り当てメッセージ（Ｔｒａｆｆｉｃ  Ｃｈａｎｎｅｌ  Ａｓｓｉｎｇｍｅｎｔ  ｍｅｓｓａｇｅ）をＡＴ１０６に送信する。
【００７２】
図７に示される一実施形態において、ハンドセットがＡＴ１０６である。ＡＴ１０６の送信回路２６４に配置された電力増幅器（ＰＡ）３０８は、過大なＲＦ電力が入力される場合、飽和する可能性がある。ＰＡ３０８に対する入力されるＲＦ電力は、ＰＡ３０８が動作中に飽和することを防ぐのに十分なヘッドルームを与えるために減らされることができる。
【００７３】
一実施形態において、主たるキャリアに対するヘッドルームを与えるために副次的なキャリアの電力が抑制される（例えば、ＲＦ送信電力が減らされる）。この場合、パイロット・チャネル、オーバヘッド・チャネル、およびトラフィック・チャネルのＲＦ電力レベルが、そのＡＴ１０６に対する全ての割り当てられた逆方向リンクキャリアに渡って合計される。合計は、ＰＡ３０８に関する許容される最大の送信電力以下に保たれる。ＰＡ３０８に入力される送信電力の総合計がＡＴ１０６内にあるＰＡ３０８の最大定格電力を超える場合、図８〜１７に開示された電力を下げる方法が、割り当てられたキャリアの各々において種々のチャネルに渡って実行されることができる。依然として十分なヘッドルームがない場合、主たるキャリアの電力も抑制される。
【００７４】
別の実施形態は、ｉ）マルチキャリアＲＬを伴うマルチキャリアＦＬリンクと、シングルキャリアＲＬを伴うマルチキャリアＦＬ（非対称モード）とを含む。ＲＬ電力抑制のルールは、シングルキャリアのルールおよびマルチキャリアのルールを含む。以下に示されるように、異なる複数のキャリア、副次的なキャリア、そして主たるキャリア、ならびに各キャリア上の異なる複数のチャネルが、以下の段落において開示される順番または順序で抑制されることができる。電力を抑制するときに以下に列挙される順序に従う理由は、いくつかのキャリアまたはチャネルがより重要でないと考えられることができ、別のキャリアまたはチャネルの前に抑制されることができることである。例えば、肯定応答（ＡＣＫ）は半スロットで送信されるのでＡＣＫは重要であると考えられる可能性がある。その一方、データ・レート制御（ＤＲＣ）はいくつかのスロットの間に送信されるので、ＤＲＣはより重要でない可能性がある。したがって、ＤＲＣはＡＣＫの前に抑制されることができる。しかし、ＤＲＣはサ―ビスを提供するセクタおよびレートを決定する可能性があるので、閾値を超える性能が有益である可能性がある。データ・ソース制御（ＤＳＣ）はサービスを提供するセルを決定し、したがって閾値を超える性能がやはり有益である。
【００７５】
シングルキャリアＲＬ抑制ルール
シングルキャリアＲＬ電力抑制のルールに関して（ステップ３２００）、ｉ）ＡＴの送信電力レベル（ＴｘＴＡＴ）がそのＡＴに関する最小の送信電力（ＴｘＴｍｉｎＡＴ）以下、すなわち、ＴｘＴＡＴ≦ＴｘＴｍｉｎＡＴであり（ステップ３２０２）、ｉｉ）ＡＴ１０６がＰＡのヘッドルームを制限されている（ステップ３２０４）場合、電力は以下の順番、すなわち、ｉ）１つまたは複数のオーバヘッド・チャネル（ステップ３２０６）、ｉｉ）パイロット・チャネルおよびデータ・チャネル（ステップ３２１０）の順番で抑制される。図８は、この実施形態において実行されるステップを示す。
【００７６】
図８
ステップ３２００、ＲＬ上の割り当てられたキャリアの数＞１であるか。答えがｎｏである場合、ステップ３２０２（ＴｘＴＡＴ≦ＴｘＴｍｉｎＡＴであるか）を実行する。ステップ３２０２に対する答えがｙｅｓである場合、ステップ３２０４（ＰＡのヘッドルームは十分であるか）を実行する。ステップ３２０４に対する答えがｙｅｓである場合、ステップ３２１４（全ての割り当てられたキャリアにおいて現在の電力レベルでデータおよびオーバヘッドの送信を継続する）を実行する。
【００７７】
ステップ３２０４に対する答えがｎｏである場合、ステップ３２０６（１つまたは複数のオーバヘッド・チャネルを抑制する）を実行する。次に、ステップ３２０８（ＰＡのヘッドルームは十分であるか）を実行する。ステップ３２０８に対する答えがｙｅｓである場合、ステップ３２０９（全ての割り当てられたキャリアに対応するＲＬキャリア上の全てのチャネルに関して現在の電力レベルでデータおよびオーバヘッドの送信を継続する）を実行する。ステップ３２０８に対する答えがｎｏである場合、ステップ３２１０（ＦＬ上の全てのキャリアに関する情報を搬送するＲＬ上のパイロット・チャネルおよびデータ・チャネルに関する電力を抑制する）を実行する。ステップ３２００に戻る。
【００７８】
ステップ３２０２に対する答えがｎｏである場合、ステップ３２１２（ＰＡのヘッドルームは十分であるか）を実行する。ステップ３２１２に対する答えがｙｅｓである場合、ステップ３２１５（全ての割り当てられたキャリアにおいて現在の電力レベルでデータおよびオーバヘッドの送信を継続する）を実行する。ステップ３２１２に対する答えがｎｏである場合、ステップ３２１７（ＴｘＴＡＴ＝ＴｘＴｍｉｎＡＴとなるか、またはＰＡのヘッドルームが十分になるまでＲＬ上のデータ・チャネルの電力を抑制する）を実行する。ステップ３２００に戻る。
【００７９】
一実施形態において、シングルキャリアＲＬ電力抑制のルールに関して、ｉ）ＡＴ１０６の送信トラフィック・チャネル対パイロット・チャネル送信電力比（ＴｘＴ２Ｐ）がそのＡＴ１０６に関する最小の送信トラフィック・チャネル対パイロット・チャネル送信電力比（ＴｘＴ２Ｐｍｉｎ）以下、すなわち、ＴｘＴ２Ｐ≦ＴｘＴ２Ｐｍｉｎであり、ｉｉ）ＡＴ１０６がＰＡのヘッドルームを制限されている場合、電力は以下の順番、すなわち、ｉ）ＤＳＣ、ｉｉ）ＤＲＣ、ｉｉｉ）ＡＣＫ、ｉｖ）パイロット、データ、および逆方向レート・インジケータ（ＲＲＩ）の順番で抑制される。
【００８０】
ＤＲＣ、ＤＳＣ、ＡＣＫ、ＲＲＩ、パイロット、およびデータ（またはトラフィック）は、逆方向リンク上で送信されるチャネルであることが留意される。ＤＲＣ、ＤＳＣ、ＡＣＫ、ＲＲＩ、およびパイロットはオーバヘッド・チャネルである。一実施形態において、１つの順方向リンクキャリアに関して基地局１６０に情報を提供する１つのＤＳＣのみが逆方向リンク上に存在する。その一方、主たるＦＬキャリアおよび副次的なＦＬキャリアに関して基地局１６０に情報を提供する複数のＤＲＣおよびＡＣＫチャネルが存在する可能性がある。また、ＡＴ１０６に情報を提供する１つのＲＲＩおよび１つのパイロット・チャネルが逆方向リンクキャリア上に存在する。ＦＬキャリアは、トラフィック（またはデータ）チャネルと、ＡＣＫチャネル、逆方向電力チャネル（ｒｅｖｅｒｓｅ  ｐｏｗｅｒ  ｃｈａｎｎｅｌ）（ＲＰＣ）、および逆方向アクティビティ・ビット（ｒｅｖｅｒｓｅ  ａｃｔｉｖｉｔｙ  ｂｉｔ）（ＲＡＢ）チャネルなどのオーバヘッド・チャネルとを搬送することも留意される。これらのオーバヘッド・チャネルは、ＡＴ１０６に情報を提供する。
【００８１】
したがって、逆方向リンクキャリア上でＴｘＴ２Ｐ≦ＴｘＴ２Ｐｍｉｎであり、ＰＡのヘッドルームが十分でない場合において、Ｎ＝１（シングルキャリアＲＬの動作領域、ここでＮは逆方向リンク上のキャリアの数を表す）、非対称モード（それはマルチキャリアＦＬおよびシングルキャリアＲＬであるのでそれは非対称モードである）について、ＲＬ電力は、ＰＡ３０８の充分なヘッドルームが達成されるまで以下の順番で抑制される。ステップ１）ＲＬ上のＤＳＣ電力をデフォルト・レベルまで引き下げる。依然として十分なＰＡのヘッドルームがない場合、ステップ２）２つの状態、すなわち、ｉ）十分なＰＡのヘッドルームが存在するか、またはｉｉ）ＤＲＣ電力が引き下げられてしまうかのうちの１つが生じるまで、ＦＬ上の全ての主たるキャリアおよび副次的なキャリアに関する情報を搬送する逆方向リンク上のＤＲＣに関するＤＲＣ電力を抑制する。依然として十分なＰＡのヘッドルームがない場合、ステップ３）２つの状態、すなわち、ｉ）十分なＰＡのヘッドルームが存在するか、またはｉｉ）ＡＣＫ電力が引き下げられてしまうかのうちの１つが生じるまで、ＦＬ上の全ての主たるキャリアおよび副次的なキャリアに関する情報を搬送する逆方向リンク上のＡＣＫチャネルに関するＡＣＫ電力を抑制する。依然として十分なＰＡのヘッドルームがない場合、ステップ４）十分なＰＡのヘッドルームが存在するまで、ＲＬ上のパイロット・チャネル、データ・チャネル、ＲＲＩチャネル、およびＤＳＣチャネルのうちの１つまたは複数を抑制する。
【００８２】
図９および１０において、電力を抑制するこの方法は以下のステップに対応する。
【００８３】
図９
ステップ２００、ＲＬ上の割り当てられたキャリアの数＞１であるか。答えがｎｏである場合、ステップ２０２（ＴｘＴ２Ｐ≦ＴｘＴ２Ｐｍｉｎであるか）を実行する。ステップ２０２に対する答えがｙｅｓである場合、ステップ２０４（ＰＡのヘッドルームは十分であるか）を実行する。ステップ２０４に対する答えがｙｅｓである場合、ステップ２１４（全ての割り当てられたキャリアにおいて現在の電力レベルでデータおよびオーバヘッドの送信を継続する）を実行する。
【００８４】
図１０
ステップ２０４に対する答えがｎｏである場合、（図１０に示される）ステップ２０５（ＲＬ上のＤＳＣ電力をデフォルト・レベルまで抑制する）を実行する。次に、ステップ２０５Ａ（ＰＡのヘッドルームは十分であるか）を実行する。ステップ２０５Ａに対する答えがｙｅｓである場合、ステップ２０５Ｂ（全ての割り当てられたキャリアに対応するＲＬキャリア上の全てのチャネルに関して現在の電力レベルでデータおよびオーバヘッドの送信を継続する）を実行する。ステップ２０５Ａに対する答えがｎｏである場合、ステップ２０６（ＦＬ上の全てのキャリアに関する情報を搬送するＲＬ上のＤＲＣに関する電力を抑制する）を実行する。ステップ２０６を実行した後で、ステップ２０６Ａ（ＰＡのヘッドルームは十分であるか）を実行する。ステップ２０６Ａに対する答えがｙｅｓである場合、ステップ２０６Ｂ（全ての割り当てられたキャリアにおいて現在の電力レベルでデータおよびオーバヘッドの送信を継続する）を実行する。ステップ２０６Ａに対する答えがｎｏである場合、ステップ２０８（ＦＬ上の全てのキャリアに関する情報を搬送するＲＬ上のＡＣＫチャネルに関する電力を抑制する）を実行する。ステップ２０８を実行した後で、ステップ２０８Ａ（ＰＡのヘッドルームは十分であるか）を実行する。ステップ２０８Ａに対する答えがｙｅｓである場合、ステップ２０８Ｂ（全ての割り当てられたキャリアにおいて現在の電力レベルでデータおよびオーバヘッドの送信を継続する）を実行する。ステップ２０８Ａに対する答えがｎｏである場合、ステップ２１０（ＲＬキャリア上のパイロットチャネル、データチャネル、およびＲＲＩチャネルの電力を抑制する）を実行する。ステップ２００に戻る。
【００８５】
図９
ステップ２０２に対する答えがｎｏである場合、（図９に示される）ステップ２１２（ＰＡのヘッドルームは十分であるか）を実行する。ステップ２１２に対する答えがｙｅｓである場合、ステップ２１５（全ての割り当てられたキャリアにおいて現在の電力レベルでデータおよびオーバヘッドの送信を継続する）を実行する。ステップ２１２に対する答えがｎｏである場合、ステップ２１７（ＴｘＴ２Ｐ＝ＴｘＴ２Ｐｍｉｎとなるか、またはＰＡのヘッドルームが十分になるまでＲＬ上のデータ・チャネルの電力を抑制する）を実行する。ステップ２００に戻る。
【００８６】
マルチキャリアＲＬ抑制のルール
アクセス端末１０６に割り当てられた全てのＮ個のＲＬキャリア上でＴｘＴＡＴ≦ＴｘＴｍｉｎＡＴであり、アクセス端末１０６がＰＡのヘッドルームが限られているときにマルチキャリア抑制のルールが適用される。
【００８７】
マルチキャリア（Ｎ＞１）の場合に対して２つの実施形態、すなわち、ｉ）ＡＴ１０６がいくつかの副次的なＲＬキャリア上でオーバヘッド・チャネルを送信している実施形態と、ｉｉ）ＡＴ１０６が主たる逆方向リンクキャリア上で全てのオーバヘッド・チャネルを送信している実施形態とが存在する。ＡＴ１０６がいくつかの副次的なＲＬキャリア上でオーバヘッド・チャネルを送信しており、Ｎ個の全てのＲＬキャリアに関してＴｘＴ２Ｐ≦ＴｘＴ２Ｐｍｉｎであり、ＰＡ３０８のヘッドルームが十分でないマルチキャリア（Ｎ＞１）の場合について、ＰＡ３０８のヘッドルームが十分になるまで以下の順番でＲＬ電力を抑制する。
【００８８】
１）（ＲＬトラフィックのみを有する）副次的なＲＬキャリアに関して、対応するＲＬキャリア上のパイロット・チャネルおよびデータ・チャネルを抑制する。２）（オーバヘッド・チャネルおよびＲＬトラフィックを有する）副次的なＲＬキャリアに関して、ｉ）対応するＲＬキャリア上のデータ・チャネルを抑制し、ｉｉ）ＦＬ上の全てのキャリアに関する情報を搬送する１つまたは複数のオーバヘッド・チャネルを抑制し、ｉｉｉ）対応するＲＬキャリア上のパイロット・チャネルおよびデータ・ソース・チャネルを抑制する。（ｉとｉｉの順番は逆にされることができる）３）主たるＲＬキャリア上で、ｉ）ＦＬ上の全てのキャリアに関する情報を搬送するオーバヘッド・チャネルのうちの１つまたは複数を抑制し、ｉｉ）主たるＲＬキャリア上のパイロット・チャネルおよびデータ・チャネルを抑制する。図１１において、電力を抑制するこの方法は以下のステップに対応する。
【００８９】
図１１
図１１において、ステップ３２００（ＲＬ上の割り当てられたキャリアの数＞１であるか）を実行する。答えがｙｅｓである場合、ステップ３２２０（全てのＲＬキャリアに関してＴｘＴＰＡ≦ＴｘＴＰＡｍｉｎであるか）を実行する。
【００９０】
ステップ３２２０に対する答えがｎｏである場合、ステップ３２２１（ＰＡのヘッドルームは十分であるか）を実行する。ステップ３２２１に対する答えがｙｅｓである場合、ステップ３２２１Ａ（全ての割り当てられたキャリアにおいて現在の電力レベルでデータおよびオーバヘッドの送信を継続する）を実行する。ステップ３２２１に対する答えがｎｏである場合、ステップ３２２１Ｂ（全てのキャリアにおいてＴｘＴＰＡ＝ＴｘＴＰＡｍｉｎとなるか、またはＰＡのヘッドルームが十分になるまでデータチャネルの電力を抑制する）を実行する。続いてステップ３２００に戻る。
【００９１】
ステップ３２２０に対する答えがｙｅｓである場合、ステップ３２２２（ＰＡのヘッドルームは十分であるか）を実行する。ステップ３２２２に対する答えがｙｅｓである場合、ステップ３２２２Ａ（全ての割り当てられたキャリアにおいて現在の電力レベルでデータおよびオーバヘッドの送信を継続する）を実行する。ステップ３２２２に対する答えがｎｏである場合、ステップ３２２３（全てのオーバヘッド・チャネルが主たるＲＬキャリア上で送信しているか）を実行する。
【００９２】
図１２
ステップ３２２３に対する答えがｎｏである場合、（図１２に示される）ステップ３２３０（十分なＰＡのヘッドルームが存在するか、またはパイロット・チャネルおよびデータ・チャネルに、もうこれ以上の抑制すべき電力がなくなるまで、トラヒックチャネルのみを有し、オーバヘッドチャネルを持たない副次的なＲＬキャリア上のパイロットチャネルおよびデータチャネルを抑制する）を実行する。
【００９３】
ステップ３２３０を実行した後で、ステップ３２３１（ＰＡのヘッドルームは十分であるか）を実行する。ステップ３２３１に対する答えがｙｅｓである場合、ステップ３２３１Ｂ（全ての割り当てられたキャリアにおいて現在の電力レベルでデータおよびオーバヘッドの送信を継続する）を実行する。ステップ３２３１に対する答えがｎｏである場合、ステップ３２３１Ｃ（十分なＰＡのヘッドルームが存在するか、またはデータ・チャネルに、もうこれ以上の抑制すべき電力がなくなるまで、オーバヘッド・チャネルおよびＲＬトラフィック・チャネルを有する副次的なＲＬキャリア上のデータ・チャネルを抑制する）を実行する。ステップ３２３１Ｃを実行した後で、ステップ３２３１Ｄ（ＰＡのヘッドルームは十分であるか）を実行する。ステップ３２３１Ｄに対する答えがｙｅｓである場合、ステップ３２３１Ｅ（全ての割り当てられたキャリアにおいて現在の電力レベルでデータおよびオーバヘッドの送信を継続する）を実行する。
【００９４】
ステップ３２３１Ｄに対する答えがｎｏである場合、ステップ３２３２（オーバヘッド・チャネルおよびトラフィック・チャネルを有する副次的なＲＬキャリアに関する１つまたは複数のオーバヘッド・チャネルに関する電力を抑制する）を実行する。ステップ３２３２を実行した後で、ステップ３２３４（ＰＡのヘッドルームは十分であるか）を実行する。ステップ３２３４に対する答えがｙｅｓである場合、ステップ３２３４Ｂ（全ての割り当てられたキャリアにおいて現在の電力レベルでデータおよびオーバヘッドの送信を継続する）を実行する。ステップ３２３４に対する答えがｎｏである場合、ステップ３２３６（オーバヘッド・チャネルおよびトラフィック・チャネルを有する副次的なＲＬキャリア上のパイロット・チャネルに関する電力を抑制する）を実行する。
【００９５】
ステップ３２３６を実行した後で、ステップ３２３８（ＰＡのヘッドルームは十分であるか）を実行する。ステップ３２３８に対する答えがｙｅｓである場合、ステップ３２３８Ｂ（全ての割り当てられたキャリアにおいて現在の電力レベルでデータおよびオーバヘッドの送信を継続する）を実行する。ステップ３２３８に対する答えがｎｏである場合、ステップ３２２０５（主たる逆方向リンクキャリア上の１つまたは複数のオーバヘッド・チャネルを抑制する）を実行する。次に、ステップ３２２０５Ａ（ＰＡのヘッドルームは十分であるか）を実行する。ステップ３２２０５Ａに対する答えがｙｅｓである場合、ステップ３２２０５Ｂ（全ての割り当てられたキャリアにおいて現在の電力レベルでデータおよびオーバヘッドの送信を継続する）を実行する。ステップ３２２０５Ａに対する答えがｎｏである場合、ステップ３２２０６（主たるＲＬキャリア上のパイロット・チャネルおよびデータ・チャネルに関する電力を抑制する）を実行する。次に、ステップ３２００に戻る。
【００９６】
マルチキャリア逆方向リンク（Ｎ＞１）の場合について、主たる逆方向リンクキャリア上で全てのオーバヘッド・チャネルを送信し、Ｎ個の全ての逆方向リンクキャリアに関してＴｘＴＰＡ≦ＴｘＴＰＡｍｉｎであり、ＰＡのヘッドルームが十分でない場合、ＰＡのヘッドルームが十分になるまで以下の順序でＲＬ電力を抑制する。
【００９７】
１）副次的なＲＬキャリアに関して、対応するＲＬキャリア上のパイロット・チャネルおよびデータ・チャネルを抑制する。２）主たるＲＬキャリアに関して、１つまたは複数のオーバヘッド・チャネルを抑制する。３）主たるＲＬキャリアに関して、パイロット・チャネルおよびデータ・チャネルを抑制する。
【００９８】
図１１および１３において、電力を抑制するこの方法は以下のステップに対応する。
【００９９】
図１１
図１１において、ステップ３２００（ＲＬ上の割り当てられたキャリアの数＞１であるか）を実行する。ｙｅｓの場合、ステップ３２２０（全てのＲＬキャリアに関してＴｘＴＰＡ≦ＴｘＴＰＡｍｉｎであるか）を実行する。ステップ３２２０に対する答えがｙｅｓである場合、ステップ３２２２（ＰＡのヘッドルームは十分であるか）を実行する。ステップ３２２２に対する答えがｙｅｓである場合、ステップ３２２２Ａ（全ての割り当てられたキャリアにおいて現在の電力レベルでデータおよびオーバヘッドの送信を継続する）を実行する。ステップ３２２２に対する答えがｎｏである場合、ステップ３２２３（全てのオーバヘッド・チャネルが主たるＲＬキャリア上で送信しているか）を実行する。ステップ３２２３に対する答えがｙｅｓである場合、ステップ３２２３Ａ（十分なＰＡのヘッドルームが存在するか、またはパイロット・チャネルおよびデータ・チャネルに、もうこれ以上の抑制すべき電力がなくなるまで、オーバヘッド・チャネルを持たない副次的なＲＬキャリア上のパイロット・チャネルおよびデータ・チャネルを抑制する）を実行する。
【０１００】
図１３
次に、（図１３に示される）ステップ３２２３Ｃ（ＰＡのヘッドルームは十分であるか）を実行する。ステップ３２２３Ｃに対する答えがｙｅｓである場合、ステップ３２２３Ｄ（全ての割り当てられたキャリアにおいて現在の電力レベルでデータおよびオーバヘッドの送信を継続する）を実行する。ステップ３２２３Ｃに対する答えがｎｏである場合、ステップ３１２０５（主たるＲＬ上の１つまたは複数のオーバヘッド・チャネルに関する電力を抑制する）を実行する。ステップ３１２０５を実行した後で、ステップ３１２０５Ａ（ＰＡのヘッドルームは十分であるか）を実行する。ステップ３１２０５Ａに対する答えがｙｅｓである場合、ステップ３１２０５Ｂ（全ての割り当てられたキャリアにおいて現在の電力レベルでデータおよびオーバヘッドの送信を継続する）を実行する。ステップ３１２０５Ａに対する答えがｎｏである場合、ステップ３１２０６（主たるＲＬ上のパイロット・チャネルおよびデータ・チャネルに関する電力を抑制する）を実行する。続いてステップ３２００に戻る。
【０１０１】
一実施形態において、アクセス端末１０６に割り当てられた全てのＮ個のＲＬキャリア上でＴｘＴ２Ｐ≦ＴｘＴ２Ｐｍｉｎであり、アクセス端末１０６がＰＡのヘッドルームが限られているときにマルチキャリア抑制のルールが適用される。
【０１０２】
ＡＴがいくつかの副次的なＲＬキャリア上でＤＲＣチャネルおよびＡＣＫチャネルを送信しており、Ｎ個の全てのＲＬキャリアに関してＴｘＴ２Ｐ≦ＴｘＴ２Ｐｍｉｎであり、ＰＡのヘッドルーム４０５が十分でないマルチキャリア（Ｎ＞１）の場合について、ＰＡのヘッドルーム４０５が十分になるまで以下の順番でＲＬ電力を抑制する。
【０１０３】
１）（ＲＬトラフィックのみを有する）副次的なＲＬキャリアに関して、対応するＲＬキャリア上のパイロット・チャネル、データ・チャネル、およびＲＲＩチャネルを抑制する。２）（ＤＲＣ、ＡＣＫチャネル、およびＲＬトラフィックを有する）副次的なＲＬキャリアに関して、ｉ）ＤＳＣチャネルをデフォルト・レベルまで引き下げ、ｉｉ）対応するＲＬキャリア上のデータ・チャネルおよびＲＲＩチャネルを抑制し、ｉｉｉ）ＦＬ上の全てのキャリアに関する情報を搬送する対応するＲＬキャリア上のＤＲＣを抑制し、ｉｖ）ＦＬ上の全てのキャリアに関する情報を搬送する対応するＲＬキャリア上のＡＣＫチャネルを抑制し、ｖ）対応するＲＬキャリア上のパイロット・チャネルおよびＤＳＣチャネルを抑制する。（一実施形態において、ステップｉｉｉおよびｉｖはステップｉｉの前に来ることができる）３）主たるＲＬキャリア上で、ＤＳＣチャネルをデフォルト・レベルまで引き下げ、ＦＬ上の全てのキャリアに関する情報を搬送する主たるＲＬキャリア上のＤＲＣチャネルに関する電力を抑制し、ＦＬ上の全てのキャリアに関する情報を搬送する主たるＲＬキャリア上のＡＣＫチャネルに関する電力を抑制し、主たるＲＬキャリア上のパイロット・チャネル、データ・チャネル、およびＲＲＩチャネルを抑制する。図９、１５、１４、および１６において、電力を抑制するこの方法は以下のステップに対応する。
【０１０４】
図９
図９において、ステップ２００（ＲＬ上の割り当てられたキャリアの数＞１であるか）を実行する。答えがｙｅｓである場合、ステップ２２０（全てのＲＬキャリアに関してＴｘＴ２Ｐ≦ＴｘＴ２Ｐｍｉｎであるか）を実行する。
【０１０５】
図１４
ステップ２２０に対する答えがｎｏである場合、（図１４に示される）ステップ２２１（ＰＡのヘッドルームは十分であるか）を実行する。ステップ２２１に対する答えがｙｅｓである場合、ステップ２２１Ａ（全ての割り当てられたキャリアにおいて現在の電力レベルでデータおよびオーバヘッドの送信を継続する）を実行する。ステップ２２１に対する答えがｎｏである場合、ステップ２２１Ｂ（全てのキャリアにおいてＴｘＴ２Ｐ＝ＴｘＴ２Ｐｍｉｎとなるか、またはＰＡのヘッドルームが十分になるまでデータチャネルの電力を抑制する）を実行する。続いてステップ２００に戻る。
【０１０６】
図９
ステップ２２０に対する答えがｙｅｓである場合、ステップ２２２（ＰＡのヘッドルームは十分であるか）を実行する。ステップ２２２に対する答えがｙｅｓである場合、ステップ２２２Ａ（全ての割り当てられたキャリアにおいて現在の電力レベルでデータおよびオーバヘッドの送信を継続する）を実行する。ステップ２２２に対する答えがｎｏである場合、ステップ２２３（全てのＤＲＣおよびＡＣＫが主たるＲＬキャリア上で送信しているか）を実行する。
【０１０７】
図１５
ステップ２２３に対する答えがｎｏである場合、（図１５に示される）ステップ２３０（十分なＰＡのヘッドルームが存在するか、またはパイロット・チャネル、データ・チャネル、およびＲＲＩチャネルに、もうこれ以上の抑制すべき電力がなくなるまで、トラフィックチャネルのみ有し、ＤＲＣまたはＡＣＫチャネルを持たない副次的なＲＬキャリア上のパイロット・チャネル、データ・チャネル、およびＲＲＩチャネルを抑制する）を実行する。ステップ２３０を実行した後で、ステップ２３１（ＰＡのヘッドルームは十分であるか）を実行する。ステップ２３１に対する答えがｙｅｓである場合、ステップ２３１Ｂ（全ての割り当てられたキャリアにおいて現在の電力レベルでデータおよびオーバヘッドの送信を継続する）を実行する。ステップ２３１に対する答えがｎｏである場合、ステップ２３１Ａ（対応する副次的なＲＬキャリア上のＤＳＣチャネルをデフォルト・レベルまで引き下げる）を実行する。次に、ステップ２３１ＡＦ（ＰＡのヘッドルームは十分であるか）を実行する。ステップ２３１ＡＦに対する答えがｙｅｓである場合、ステップ２３１ＡＧ（全ての割り当てられたキャリアにおいて現在の電力レベルでデータおよびオーバヘッドの送信を継続する）を実行する。
【０１０８】
ステップ２３１ＡＦに対する答えがｎｏである場合、ステップ２３１Ｃ（十分なＰＡのヘッドルームが存在するか、またはデータチャネルおよびＲＲＩチャネルに、もうこれ以上の抑制すべき電力がなくなるまで、ＤＲＣチャネル、ＡＣＫチャネル、およびＲＬトラフィック・チャネルを有する副次的なＲＬキャリア上のデータ・チャネルおよびＲＲＩチャネルを抑制する）を実行する。ステップ２３１Ｃを実行した後で、ステップ２３１Ｄ（ＰＡのヘッドルームは十分であるか）を実行する。ステップ２３１Ｄに対する答えがｙｅｓである場合、ステップ２３１Ｅ（全ての割り当てられたキャリアにおいて現在の電力レベルでデータおよびオーバヘッドの送信を継続する）を実行する。
【０１０９】
ステップ２３１Ｄに対する答えがｎｏである場合、ステップ２３２（全ての副次的なＲＬキャリアに関するＤＲＣチャネルに関する電力を抑制する）を実行する。ステップ２３２を実行した後で、ステップ２３４（ＰＡのヘッドルームは十分であるか）を実行する。ステップ２３４に対する答えがｙｅｓである場合、ステップ２３４Ｂ（全ての割り当てられたキャリアにおいて現在の電力レベルでデータおよびオーバヘッドの送信を継続する）を実行する。ステップ２３４に対する答えがｎｏである場合、ステップ２３６（全ての副次的なＲＬキャリア上のＡＣＫチャネルに関する電力を抑制する）を実行する。ステップ２３６を実行した後で、ステップ２３８（ＰＡのヘッドルームは十分であるか）を実行する。ステップ２３８に対する答えがｙｅｓである場合、ステップ２３８Ｂ（全ての割り当てられたキャリアにおいて現在の電力レベルでデータおよびオーバヘッドの送信を継続する）を実行する。ステップ２３８に対する答えがｎｏである場合、ステップ２４０（対応する副次的なＲＬキャリア上のパイロット・チャネルおよびＤＳＣチャネルに関する電力を抑制する）を実行する。ステップ２４０を実行した後で、ステップ２４２（ＰＡのヘッドルームは十分であるか）を実行する。ステップ２４２に対する答えがｙｅｓである場合、ステップ２４２Ｂ（全ての割り当てられたキャリアにおいて現在の電力レベルでデータおよびオーバヘッドの送信を継続する）を実行する。
【０１１０】
図１６
ステップ２４２に対する答えがｎｏである場合、（図１６に示される）ステップ２２０５（主たる逆方向リンクキャリア上のＤＳＣチャネルの電力をデフォルト・レベルまで抑制する）を実行する。次に、ステップ２２０５Ａ（ＰＡのヘッドルームは十分であるか）を実行する。ステップ２２０５Ａに対する答えがｙｅｓである場合、ステップ２２０５Ｂ（全ての割り当てられたキャリアにおいて現在の電力レベルでデータおよびオーバヘッドの送信を継続する）を実行する。ステップ２２０５Ａに対する答えがｎｏである場合、ステップ２２０６（ＦＬ上の全てのキャリアに関する情報を搬送する主たるＲＬ上のＤＲＣに関する電力を抑制する）を実行する。ステップ２２０６を実行した後で、ステップ２２０６Ａ（ＰＡのヘッドルームは十分であるか）を実行する。ステップ２２０６Ａに対する答えがｙｅｓである場合、ステップ２２０６Ｂ（全ての割り当てられたキャリアにおいて現在の電力レベルでデータおよびオーバヘッドの送信を継続する）を実行する。ステップ２２０６Ａに対する答えがｎｏである場合、ステップ２２０８（ＦＬ上の全てのキャリアに関する情報を搬送する主たるＲＬ上のＡＣＫチャネルに関する電力を抑制する）を実行する。ステップ２２０８を実行した後で、ステップ２２０８Ａ（ＰＡのヘッドルームは十分であるか）を実行する。ステップ２２０８Ａに対する答えがｙｅｓである場合、ステップ２２０８Ｂ（全ての割り当てられたキャリアにおいて現在の電力レベルでデータおよびオーバヘッドの送信を継続する）を実行する。ステップ２２０８Ａに対する答えがｎｏである場合、ステップ２２１０（主たるＲＬキャリア上のパイロット・チャネル、データ・チャネル、ＲＲＩチャネル、およびＤＳＣチャネルの電力を抑制する）を実行する。次に、ステップ２００に戻る。
【０１１１】
マルチキャリア逆方向リンク（Ｎ＞１）の場合について、ならびに、主たる逆方向リンクキャリア上で全てのＤＲＣチャネルおよびＡＣＫチャネルを送信し、Ｎ個の全ての逆方向リンクキャリアに関してＴｘＴ２Ｐ≦ＴｘＴ２Ｐｍｉｎであり、ＰＡのヘッドルームが十分でない場合、ＰＡのヘッドルームが十分になるまで以下の順序でＲＬ電力を抑制する。
【０１１２】
１）副次的なＲＬキャリアに関して、対応するＲＬキャリア上のパイロット・チャネル、データ・チャネル、およびＲＲＩチャネルを抑制する。２）主たるＲＬキャリアに関して、ＤＳＣをデフォルト・レベルまで引き下げる。ＦＬ上の全てのキャリアに関する情報を搬送する主たるＲＬ上のＤＲＣに関する電力を抑制する。ＦＬ上の全てのキャリアに関する情報を搬送する主たるＲＬキャリア上のＡＣＫチャネルに関する電力を抑制する。主たるＲＬキャリア上のパイロット・チャネル、データ・チャネル、ＲＲＩチャネル、およびＤＳＣチャネルを抑制する。
【０１１３】
図９および１７において、電力を抑制するこの方法は以下のステップに対応する。
【０１１４】
図９
図９において、ステップ２００（ＲＬ上の割り当てられたキャリアの数＞１であるか）を実行する。ｙｅｓである場合、ステップ２２０（全てのＲＬキャリアに関してＴｘＴ２Ｐ≦ＴｘＴ２Ｐｍｉｎであるか）を実行する。ステップ２２０に対する答えがｙｅｓである場合、ステップ２２２（ＰＡのヘッドルームは十分であるか）を実行する。ステップ２２２に対する答えがｙｅｓである場合、ステップ２２２Ａ（全ての割り当てられたキャリアにおいて現在の電力レベルでデータおよびオーバヘッドの送信を継続する）を実行する。ステップ２２２に対する答えがｎｏである場合、ステップ２２３（全てのＤＲＣおよびＡＣＫが主たるＲＬキャリア上で送信しているか）を実行する。ステップ２２３に対する答えがｙｅｓである場合、ステップ２２３Ａ（十分なＰＡのヘッドルームが存在するか、またはパイロット・チャネル、データ・チャネル、およびＲＲＩチャネルに、もうこれ以上の抑制すべき電力がなくなるまで副次的なＲＬキャリア上のパイロット・チャネル、データ・チャネル、およびＲＲＩチャネルを抑制する）を実行する。
【０１１５】
図１７
次に、（図１７に示される）ステップ２２３Ｃ（ＰＡのヘッドルームは十分であるか）を実行する。ステップ２２３Ｃに対する答えがｙｅｓである場合、ステップ２２３Ｄ（全ての割り当てられたキャリアにおいて現在の電力レベルでデータおよびオーバヘッドの送信を継続する）を実行する。ステップ２２３Ｃに対する答えがｎｏである場合、ステップ１２０５（ＤＳＣ電力をデフォルト・レベルまで抑制する）を実行する。
【０１１６】
次に、ステップ１２０５Ａ（ＰＡのヘッドルームは十分であるか）を実行する。ステップ１２０５Ａに対する答えがｙｅｓである場合、ステップ１２０５Ｂ（全ての割り当てられたキャリアにおいて現在の電力レベルでデータおよびオーバヘッドの送信を継続する）を実行する。ステップ１２０５Ａに対する答えがｎｏである場合、ステップ１２０６（ＦＬ上の全てのキャリアに関する情報を搬送する主たるＲＬ上のＤＲＣに関する電力を抑制する）を実行する。ステップ１２０６を実行した後で、ステップ１２０６Ａ（ＰＡのヘッドルームは十分であるか）を実行する。ステップ１２０６Ａに対する答えがｙｅｓである場合、ステップ１２０６Ｂ（全ての割り当てられたキャリアにおいて現在の電力レベルでデータおよびオーバヘッドの送信を継続する）を実行する。ステップ１２０６Ａに対する答えがｎｏである場合、ステップ１２０８（ＦＬ上の全てのキャリアに関する情報を搬送する主たるＲＬ上のＡＣＫチャネルに関する電力を抑制する）を実行する。ステップ１２０８を実行した後で、ステップ１２０８Ａ（ＰＡのヘッドルームは十分であるか）を実行する。ステップ１２０８Ａに対する答えがｙｅｓである場合、ステップ１２０８Ｂ（全ての割り当てられたキャリアにおいて現在の電力レベルでデータおよびオーバヘッドの送信を継続する）を実行する。ステップ１２０８Ａに対する答えがｎｏである場合、ステップ１２１０（主たるＲＬキャリア上のパイロット・チャネル、データ・チャネル、ＲＲＩチャネル、およびＤＳＣチャネルの電力を抑制する）を実行する。続いてステップ２００に戻る。
【０１１７】
図７は、（ＰＡ３０８を含む）送信回路２６４と、受信回路８４０８と、抑制制御３０６と、復号化処理ユニット２５８と、処理ユニット３０２と、ＤＴＸ制御ユニット８４０４と、ＲＲＩ制御ユニット８４０６と、ＤＲＣ制御ユニット８４１２と、メモリ８４１６とを含む、本特許出願によるＡＴ１０６の一実施形態を示す。抑制制御ユニット３０６は、例えば上記で説明されたような抑制ルールの少なくとも１つの組を実行する。抑制ルールは、ＲＬ上の送信電力を制御するための手段および方法を提供する。図８〜１７および１９〜２８において示されるステップは、メモリ８４１６に配置されるソフトウェアまたはファームウェア４２として配置される命令として記憶されてもよい。これらの命令は、処理ユニット３０２によって実行されてもよい。
【０１１８】
別の実施形態において、上記で開示され、図８〜１７に示された上記ＲＬ電力抑制のルールは、トラフィック・チャネル（すなわち、音声およびデータ）、パイロット・チャネル、およびオーバヘッド・チャネルを含むリリース６などのＷＣＤＭＡシステムと共に使用されることができる。（逆方向リンクのＷＣＤＭＡバージョンである）アップリンク・チャネルは、専用の物理チャネル(dedicated physical channel)（ＤＰＣＨ）、物理ランダムアクセス・チャネル(physical random access channel)（ＰＲＡＣＨ）、専用のチャネル(dedicated channel)（ＤＣＨ）、ランダムアクセス・チャネル(random access channel)（ＲＡＣＨ）、専用の制御チャネル(dedicated control channel)（ＤＣＣＨ）、および共通制御チャネル(common control channel)（ＣＣＣＨ）を含むことができる。ＤＰＣＨは、ユーザデータを搬送する専用の物理データ・チャネル(dedicated physical data channel)（ＤＰＤＣＨ）と、物理レイヤ制御情報（パイロット・データ、ＴＦＣＩ、およびＴＰＣ）を搬送する専用の物理制御チャネル(dedicated physical control channel)（ＤＰＣＣＨ）とからなる。図１８は、当技術分野で知られているＷＣＤＭＡプロトコル構造の一例である。
【０１１９】
上述の図７〜１７の方法および装置は図１９〜２８に示された対応するミーンズ・プラス・ファンクション・ブロックによって実行されることも留意される。
【０１２０】
当業者は、情報および信号が様々な異なるテクノロジーおよび技術のうちのいずれかを使用して表されることができることを理解するであろう。例えば、上記の説明全体を通して参照されることができるデータ、命令、コマンド、情報、信号、ビット、シンボル、およびチップは、電圧、電流、電磁波、磁界もしくは磁気的粒子、光場もしくは光学的粒子、またはそれらの任意の組合せで表されることができる。
【０１２１】
さらに、当業者は、本明細書において開示された実施形態に関連して説明された種々の例示的な論理ブロック、モジュール、回路、およびアルゴリズムのステップが、電子的なハードウェア、コンピュータ・ソフトウェア、またはそれら両方の組合せとして実装されることができることを理解するであろう。ハードウェアとソフトウェアとのこの互換性を明確に示すために、種々の例示的なコンポーネント、ブロック、モジュール、回路、およびステップが、概してそれらの機能の観点で上で説明された。そのような機能がハードウェアで実装されるか、それともソフトウェアで実装されるかは、システム全体に課された特定の用途および設計の制約による。当業者は、説明された機能をそれぞれの特定の用途のために様々なやり方で実装することができるが、そのような実装の判断は本発明の範囲からの逸脱をもたらすものと解釈されてはならない。
【０１２２】
本明細書において開示された実施形態に関連して説明された様々な例示的な論理ブロック、モジュール、および回路は、汎用プロセッサ、ディジタル信号プロセッサ（ＤＳＰ）、特定用途向け集積回路（ＡＳＩＣ）、フィールド・プログラマブル・ゲートアレイ（ＦＰＧＡ）もしくはその他のプログラマブル・ロジック・デバイス、離散的なゲートもしくはトランジスタ・ロジック、離散的なハードウェア・コンポーネント、または本明細書において説明された機能を実行するように設計されたそれらの任意の組合せを用いて実装または実行されることができる。汎用プロセッサはマイクロプロセッサであってよいが、別法として、プロセッサは、任意の従来のプロセッサ、コントローラ、マイクロコントローラ、または状態機械であってよい。プロセッサは、コンピューティング・デバイスの組合せ、例えばＤＳＰとマイクロプロセッサとの組合せ、複数のマイクロプロセッサ、ＤＳＰコアと連携する１つまたは複数のマイクロプロセッサ、または任意のその他のそのような構成として実装されてもよい。
【０１２３】
本明細書において開示された実施形態と関連して説明された方法またはアルゴリズムのステップは、直接ハードウェアで、プロセッサによって実行されるソフトウェア・モジュールで、またはこの２つの組合せで具現化されることができる。ソフトウェア・モジュールは、ランダムアクセスメモリ（ＲＡＭ）フラッシュメモリ、読み出し専用メモリ（ＲＯＭ）、電気的プログラマブルＲＯＭ（ＥＰＲＯＭ）、電気的消去可能プログラマブルＲＯＭ（ＥＥＰＲＯＭ）、レジスタ、ハードディスク、リムーバブルディスク、ＣＤ−ＲＯＭ、または当技術分野で知られているその他の形態の記憶媒体中に存在することができる。例示的な記憶媒体は、プロセッサが当該記憶媒体から情報を読むことができ、当該記憶媒体に情報を書き込むことができるようにプロセッサに結合される。別法として、記憶媒体はプロセッサに一体化されていてよい。プロセッサおよび記憶媒体はＡＳＩＣ内に存在してよい。ＡＳＩＣはユーザー端末内に存在してよい。別法として、プロセッサおよび記憶媒体はユーザー端末内の別個のコンポーネントとして存在してよい。
【０１２４】
開示された実施形態の上記の記述は、当業者が本発明を作製するまたは使用することを可能にするために提供される。これらの実施形態に対する種々の修正が当業者には容易に明らかとなり、本明細書において定義された包括的な原理は、本発明の精神または範囲を逸脱することなくその他の実施形態に適用可能である。したがって、本発明は、本明細書において示された実施形態に限定されるように意図されておらず、本明細書において開示された原理および新規性のある特徴に合致する最も広い範囲を与えられるべきである。なお、本願の出願当初の請求項と同一の記載を以下に付記する。
[１]  下記を備えるアクセス端末：
処理ユニット；
前記処理ユニットに動作可能に接続されたメモリ；
前記処理ユニットに動作可能に接続された受信回路；
シングルキャリア動作およびマルチキャリア動作の両方において使用される電力増幅器を有する送信回路、ここにおいて、前記送信回路は前記処理ユニットに動作可能に接続される；および
前記電力増幅器に動作可能に接続された抑制制御ユニット、ここにおいて、前記電力増幅器に十分なヘッドルームを提供するために電力を抑制することを備える、前記メモリに記憶された命令を実行するように前記処理ユニットは適合される。
[２]  上記[１]記載のアクセス端末、ここにおいて、
前記電力増幅器に十分なヘッドルームを提供するために電力を抑制するための前記命令は、逆方向リンク上の電力を抑制するための命令をさらに備え、該命令は下記を備える：  十分な電力増幅器のヘッドルームが存在するか、または複数のオーバヘッド・チャネルが引き下げられてしまうまで１つまたは複数の前記オーバヘッド・チャネルを抑制すること。
[３]  上記[１]記載のアクセス端末、ここにおいて、
前記電力増幅器に十分なヘッドルームを提供するために電力を抑制するための前記命令は、単一のキャリアを有する逆方向リンク上の電力を抑制するための命令をさらに備え、この命令は下記を備える：
十分な電力増幅器のヘッドルームが存在するか、または少なくとも１つのデータ・レート制御チャネルの電力が引き下げられてしまうまで逆方向リンク・キャリア上の少なくとも１つのオーバヘッド・チャネルに関する電力を抑制すること；および、
十分なヘッドルームが存在するまでパイロット・チャネルおよびデータ・チャネルの電力のうちの１つまたは複数を抑制すること。
[４]  上記[１]記載のアクセス端末、ここにおいて、
前記電力増幅器に十分なヘッドルームを提供するために電力を抑制するための前記命令は、下記の順序に従い単一のキャリアを有する逆方向リンク上の電力を抑制するための命令をさらに備え、該命令は下記を備える：
データ・ソース制御チャネルの電力をデフォル・トレベルまで引き下げること；
十分な電力増幅器のヘッドルームが存在するか、または少なくとも１つのデータ・レート制御チャネルの電力が引き下げられてしまうまで逆方向リンクキャリア上の前記少なくとも１つのデータ・レート制御チャネルに関する電力を抑制すること；
十分な電力増幅器のヘッドルームが存在するか、または少なくとも１つの肯定応答チャネルの電力が引き下げられてしまうまで前記逆方向リンクキャリア上の前記少なくとも１つの肯定応答チャネルに関する電力を抑制すること；および、
十分なヘッドルームが存在するまでパイロット・チャネル、データ・チャネル、逆方向レート・インジケータ・チャネル、および前記データ・ソース制御チャネルの電力のうちの１つまたは複数を抑制すること。
[５]  上記[１]記載のアクセス端末、ここにおいて、
前記電力増幅器に十分なヘッドルームを提供するために電力を抑制するための前記命令は、複数のキャリアを有する逆方向リンク上の電力を抑制するための命令をさらに備え、該命令は下記を備える：
少なくとも１つの副次的な逆方向リンクキャリアの電力を抑制すること；および、
主たる逆方向リンクキャリアの電力を抑制すること。
[６]  上記[２]記載のアクセス端末、ここにおいて、
前記１つまたは複数のオーバヘッド・チャネルは、下記のチャネルのうちの１つ又は複数を備える：
データ・ソース制御チャネル、データ・レート制御チャネル、肯定応答チャネル、パイロット・チャネル、および逆方向レート・インジケータ・チャネル。
[７]  少なくとも１つのトラフィック・チャネルを抑制するための命令をさらに備える、上記[２]記載のアクセス端末。
[８]  少なくとも１つのパイロット・チャネルを抑制するための命令をさらに備える、上記[２]記載のアクセス端末。
[９]  少なくとも１つのトラフィック・チャネル、および少なくとも１つのパイロット・チャネルを抑制するための命令をさらに備える、上記[２]記載のアクセス端末。
[１０]  上記[５]記載のアクセス端末、ここにおいて、
少なくとも１つの副次的な逆方向リンクキャリアの電力を抑制するための前記命令は下記を備える：
パイロット・チャネル、データ・チャネル、および逆方向レート・インジケータ・チャネルの電力のうちの１つまたは複数を抑制すること。
[１１]  上記[５]記載のアクセス端末、ここにおいて、
前記電力増幅器に十分なヘッドルームを提供するための前記命令は、前記主たる逆方向リンクキャリアの電力を抑制する前に前記少なくとも１つの副次的な逆方向リンクキャリアの電力を抑制することをさらに備え、
少なくとも１つの副次的な逆方向リンクキャリアの電力を抑制するための前記命令は、下記の順序で電力を抑制することを備える：
パイロット・チャネル、データ・チャネル、および逆方向レート・インジケータ・チャネルの電力のうちの１つまたは複数を抑制すること、
ここにおいて、主たる逆方向リンクキャリアの電力を抑制するための前記命令は、下記の順序で電力を抑制することを備える：
データ・ソース制御チャネルの電力をデフォルト・レベルまで引き下げること；
十分な電力増幅器のヘッドルームが存在するか、または少なくとも１つのデータ・レート制御チャネルの電力が引き下げられてしまうまで、前記逆方向リンクキャリア上の前記少なくとも１つのデータ・レート制御チャネルに関する電力を抑制すること；
十分な電力増幅器のヘッドルームが存在するか、または少なくとも１つの肯定応答チャネルの電力が引き下げられてしまうまで前記逆方向リンクキャリア上の前記少なくとも１つの肯定応答チャネルに関する電力を抑制すること；および、
十分なヘッドルームが存在するまでパイロット・チャネルの電力、データ・チャネルの電力、逆方向レート・インジケータ・チャネルの電力、および前記データ・ソース制御チャネルの電力のうちの１つまたは複数を抑制すること。
[１２]  上記[５]に記載のアクセス端末、ここにおいて、
少なくとも１つの副次的な逆方向リンクキャリアの電力を抑制するための前記命令は、
パイロット・チャネルの電力およびデータ・チャネルの電力のうちの１つまたは複数を抑制することを備える。
[１３]  上記[５]に記載のアクセス端末、ここにおいて、
少なくとも１つの副次的な逆方向リンクキャリアの電力を抑制するための前記命令は、パイロット・チャネルおよびデータ・チャネルの電力のうちの１つまたは複数を抑制することを備え、ここにおいて、
主たる逆方向リンクキャリアの電力を抑制するための前記命令は下記を備える：
十分な電力増幅器のヘッドルームが存在するか、または少なくとも１つのデータ転送速度制御チャネルの電力が引き下げられてしまうまで前記主たる逆方向リンクキャリア上の少なくとも１つのオーバヘッド・チャネルに関する電力を抑制すること；および、
十分なヘッドルームが存在するまでパイロット・チャネルおよびデータ・チャネルの電力のうちの１つまたは複数を抑制すること。
[１４]  上記[５]に記載のアクセス端末、ここにおいて、
少なくとも１つの副次的な逆方向リンクキャリアの電力を抑制するための前記命令は下記を備える：
第１の副次的なキャリア上のパイロット・チャネル、データ・チャネル、および逆方向レート・インジケータ・チャネルの電力のうちの１つまたは複数を抑制すること；
第２の副次的なキャリア上でデータ・ソース制御に関する電力をデフォルト・レベルまで引き下げること；
十分な電力増幅器のヘッドルームが存在するか、またはデータ・チャネルの電力および逆方向レート・インジケータ・チャネルの電力が引き下げられてしまうまで前記第２の副次的なキャリア上の前記データ・チャネルの電力および前記逆方向レート・インジケータ・チャネルの電力のうちの１つまたは複数に関する電力を抑制すること；
十分な電力増幅器のヘッドルームが存在するか、または少なくとも１つのデータ・レート制御チャネルの電力が引き下げられてしまうまで前記第２の副次的なキャリア上の前記少なくとも１つのデータ・レート制御チャネルに関する電力を抑制すること；
十分な電力増幅器のヘッドルームが存在するか、または少なくとも１つの肯定応答チャネルの電力が引き下げられてしまうまで前記第２の副次的なキャリア上の前記肯定応答チャネルに関する電力を抑制すること；および、
十分な電力増幅器のヘッドルームが存在するか、または少なくとも１つのパイロット・チャネルの電力および前記データ・ソース制御チャネルの電力が引き下げられてしまうまで前記第２の副次的なキャリア上の前記少なくとも１つのパイロット・チャネルおよび前記データ・ソース制御チャネルに関する電力を抑制すること。
[１５]  上記[５]記載のアクセス端末、ここにおいて、
前記電力増幅器に十分なヘッドルームを提供するために電力を抑制するための前記命令は、前記主たる逆方向リンクキャリアの電力を抑制する前に前記少なくとも１つの副次的な逆方向リンクキャリアの電力を抑制することを備え、
少なくとも１つの副次的な逆方向リンクキャリアの電力を抑制するための前記命令は、下記の順序で電力を抑制することを備える：
第１の副次的なキャリア上のパイロット・チャネル、データ・チャネル、および逆方向レート・インジケータ・チャネルの電力のうちの１つまたは複数を抑制すること；
第２の副次的なキャリア上のデータ・ソース・チャネルに関する電力を抑制すること；
前記第２の副次的なキャリア上のデータ・チャネルおよび逆方向レート・インジケータ・チャネルの電力のうちの１つまたは複数に関する電力を抑制すること；
前記第２の副次的なキャリア上の少なくとも１つのデータ・レート制御チャネルに関する電力を抑制すること；
前記第２の副次的なキャリア上の少なくとも１つの肯定応答チャネルに関する電力を抑制すること；および、
前記第２の副次的なキャリア上の少なくとも１つのパイロット・チャネルおよび前記データ・ソース・チャネルに関する電力を抑制すること、
ここにおいて、主たる逆方向リンクキャリアの電力を抑制するための前記命令は、下記の順序で電力を抑制することを備える：
データ・ソース制御チャネルの電力をデフォルト・レベルまで引き下げること；
十分な電力増幅器のヘッドルームが存在するか、または少なくとも１つのデータ・レート制御チャネルの電力が引き下げられてしまうまで前記主たる逆方向リンクキャリア上の前記少なくとも１つのデータ・レート制御チャネルに関する電力を抑制すること；
十分な電力増幅器のヘッドルームが存在するか、または少なくとも１つの肯定応答チャネルの電力が引き下げられてしまうまで前記主たる逆方向リンクキャリア上の前記少なくとも１つの肯定応答チャネルに関する電力を抑制すること；および、
十分なヘッドルームが存在するまでパイロット・チャネル、データ・チャネル、逆方向レート・インジケータ・チャネル、および前記データ・ソース制御チャネルの電力のうちの１つまたは複数を抑制すること。
[１６]  上記[５]記載のアクセス端末、ここにおいて、
少なくとも１つの副次的な逆方向リンクキャリアの電力を抑制するための前記命令は、下記を備える：
第１の副次的なキャリア上の１つまたは複数のパイロット・チャネルの電力およびデータ・チャネルの電力を抑制すること；
第２の副次的なキャリア上の１つまたは複数のデータ・チャネルの電力に関する電力を抑制すること；および、
前記第２の副次的なキャリア上の少なくとも１つのオーバヘッド・チャネルに関する電力を抑制すること。
[１７]  上記[５]に記載のアクセス端末、ここにおいて、
少なくとも１つの副次的な逆方向リンクキャリアの電力を抑制するための前記命令は下記を備える：
第１の副次的なキャリア上の１つまたは複数のパイロットチャネルの電力およびデータ・チャネルの電力を抑制すること；
第２の副次的なキャリア上のデータ・チャネルの電力のうちの１つまたは複数に関する電力を抑制すること；
前記第２の副次的なキャリア上の少なくとも１つのオーバヘッド・チャネルに関する電力を抑制すること、
ここにおいて、主たる逆方向リンクキャリアの電力を抑制するための前記命令は下記を備える：
十分な電力増幅器のヘッドルームが存在するか、または少なくとも１つのデータ・レート制御チャネルの電力が引き下げられてしまうまで前記主たる逆方向リンクキャリア上の少なくとも１つのオーバヘッド・チャネルに関する電力を抑制すること；および、
十分なヘッドルームが存在するまでパイロットチャネルの電力およびデータチャネルの電力のうちの１つまたは複数を抑制すること。
[１８]  電力増幅器に十分なヘッドルームを提供するために電力を抑制するための手段を備える、逆方向リンク上の電力を抑制するための手段。
[１９]  上記[１８]記載の逆方向リンク上の電力を抑制するための手段、該手段はさらに下記を備える：
十分な電力増幅器のヘッドルームが存在するか、または複数のオーバヘッド・チャネルが引き下げられてしまうまで１つまたは複数の前記オーバヘッド・チャネルを抑制するための手段。
[２０]  上記[１８]記載の逆方向リンク上の電力を抑制するための手段、該手段はさらに単一のキャリアを有する前記逆方向リンク上の電力を抑制するための手段を備え、この手段は下記を備える：
十分な電力増幅器のヘッドルームが存在するか、または少なくとも１つのデータ転送速度制御チャネルの電力が引き下げられてしまうまで逆方向リンクキャリア上の少なくとも１つのオーバヘッド・チャネルに関する電力を抑制するための手段；および、
十分なヘッドルームが存在するまでパイロット・チャネルの電力およびデータ・チャネルの電力のうちの１つまたは複数を抑制するための手段。
[２１]  上記[１８]記載の逆方向リンク上の電力を抑制するための手段、ここにおいて、前記電力増幅器に十分なヘッドルームを提供するために電力を抑制するための前記手段は、下記の順序で単一のキャリアを有する前記逆方向リンク上の電力を抑制するための手段を備え、該手段は下記を備える：
データ・ソース制御チャネルの電力をデフォルト・レベルまで引き下げるための手段；
十分な電力増幅器のヘッドルームが存在するか、または少なくとも１つのデータ・レート制御チャネルの電力が引き下げられてしまうまで逆方向リンクキャリア上の前記少なくとも１つのデータ・レート制御チャネルに関する電力を抑制するための手段；
十分な電力増幅器のヘッドルームが存在するか、または少なくとも１つの肯定応答チャネルの電力が引き下げられてしまうまで前記逆方向リンクキャリア上の前記少なくとも１つの肯定応答チャネルに関する電力を抑制するための手段；および、
十分なヘッドルームが存在するまでパイロット・チャネル、データ・チャネル、逆方向レート・インジケータ・チャネル、および前記データ・ソース制御チャネルの電力のうちの１つまたは複数を抑制するための手段。
[２２]  上記[１８]記載の逆方向リンク上の電力を抑制するための手段、該手段はさらに、複数のキャリアを有する前記逆方向リンク上の電力を抑制するための手段を備え、この手段は下記を備える：
少なくとも１つの副次的な逆方向リンクキャリアの電力を抑制するための手段；および、
主たる逆方向リンクキャリアの電力を抑制するための手段。
[２３]  上記[１９]記載の逆方向リンク上の電力を抑制するための手段、ここにおいて、
前記１つまたは複数のオーバヘッド・チャネルは、下記のチャネルのうちの１つ又は複数を備える：
データ・ソース制御チャネル、データ・レート制御チャネル、肯定応答チャネル、パイロット・チャネル、および逆方向レート・インジケータ・チャネル。
[２４]  少なくとも１つのトラフィック・チャネルを抑制するための手段をさらに含む、上記[１９]記載の逆方向リンク上の電力を抑制するための手段。
[２５]  少なくとも１つのパイロット・チャネルを抑制するための手段をさらに含む、上記[１９]記載の逆方向リンク上の電力を抑制するための手段。
[２６]  少なくとも１つのトラフィック・チャネルおよび少なくとも１つのパイロット・チャネルを抑制するための手段をさらに含む、上記[１９記載の逆方向リンク上の電力を抑制するための手段。
[２７]  上記[２２]に記載の逆方向リンク上の電力を抑制するための手段、ここにおいて、
少なくとも１つの副次的な逆方向リンクキャリアの電力を抑制するための前記手段は下記を備える：
パイロット・チャネル、データ・チャネル、および逆方向レート・インジケータ・チャネルの電力のうちの１つまたは複数を抑制するための手段。
[２８]  上記[２２]に記載の逆方向リンク上の電力を抑制するための手段、ここにおいて、
前記電力増幅器に十分なヘッドルームを提供するための前記手段は、主たる逆方向リンクキャリアの電力を抑制するための前記手段の前に少なくとも１つの副次的な逆方向リンクキャリアの電力を抑制するための前記抑制するための手段をさらに備え、
ここにおいて、少なくとも１つの副次的な逆方向リンクキャリアの電力を抑制するための前記手段は、下記の順序で電力を抑制することを備える：
パイロット・チャネル、データ・チャネル、および逆方向レート・インジケータ・チャネルの電力のうちの１つまたは複数を抑制するための手段、
ここにおいて、主たる逆方向リンクキャリアの電力を抑制するための前記手段は、下記の順序で電力を抑制することを備える：
データ・ソース制御チャネルの電力をデフォルト・レベルまで引き下げるための手段；
十分な電力増幅器のヘッドルームが存在するか、または少なくとも１つのデータ・レート制御チャネルの電力が引き下げられてしまうまで前記逆方向リンクキャリア上の前記少なくとも１つのデータ・レート制御チャネルに関する電力を抑制するための手段；
十分な電力増幅器のヘッドルームが存在するか、または少なくとも１つの肯定応答チャネルの電力が引き下げられてしまうまで前記逆方向リンクキャリア上の前記少なくとも１つの肯定応答チャネルに関する電力を抑制するための手段；および、
十分なヘッドルームが存在するまでパイロット・チャネル、データ・チャネル、逆方向レート・インジケータ・チャネル、および前記データ・ソース制御チャネルの電力のうちの１つまたは複数を抑制するための手段。
[２９]  上記[２２]に記載の逆方向リンク上の電力を抑制するための手段、ここにおいて、少なくとも１つの副次的な逆方向リンクキャリアの電力を抑制するための前記手段は下記を備える：
パイロット・チャネルおよびデータ・チャネルの電力のうちの１つまたは複数を抑制するための手段。
[３０]  上記[２２]に記載の逆方向リンク上の電力を抑制するための手段、ここにおいて、
少なくとも１つの副次的な逆方向リンクキャリアの電力を抑制するための前記手段は、パイロット・チャネルおよびデータ・チャネルの電力のうちの１つまたは複数を抑制するための手段を備え、ここにおいて、
主たる逆方向リンクキャリアの電力を抑制するための前記手段は下記を備える：
十分な電力増幅器のヘッドルームが存在するか、または少なくとも１つのデータ・レート制御チャネルの電力が引き下げられてしまうまで前記主たる逆方向リンクキャリア上の少なくとも１つのオーバヘッド・チャネルに関する電力を抑制するための手段；および、  十分なヘッドルームが存在するまでパイロット・チャネルおよびデータ・チャネルの電力のうちの１つまたは複数を抑制するための手段。
[３１]  上記[２２]記載の逆方向リンク上の電力を抑制するための手段、ここにおいて、
少なくとも１つの副次的な逆方向リンクキャリアの電力を抑制するための前記手段は下記を備える：
第１の副次的なキャリア上のパイロット・チャネル、データ・チャネル、および逆方向レート・インジケータ・チャネルの電力のうちの１つまたは複数を抑制するための手段；
第２の副次的なキャリア上でデータ・ソース制御に関する電力をデフォルト・レベルまで引き下げるための手段；
十分な電力増幅器のヘッドルームが存在するか、またはデータ・チャネルおよび逆方向レート・インジケータ・チャネルの電力が引き下げられてしまうまで、前記第２の副次的なキャリア上の前記データ・チャネルおよび逆方向レート・インジケータ・チャネルの電力のうちの１つまたは複数に関する電力を抑制するための手段；
十分な電力増幅器のヘッドルームが存在するか、または少なくとも１つのデータ・ソース制御チャネルの電力が引き下げられてしまうまで前記第２の副次的なキャリア上の前記少なくとも１つのデータ・レート制御チャネルに関する電力を抑制するための手段；
十分な電力増幅器のヘッドルームが存在するか、または少なくとも１つの肯定応答チャネルの電力が引き下げられてしまうまで前記第２の副次的なキャリア上の前記肯定応答チャネルに関する電力を抑制するための手段；および、
十分な電力増幅器のヘッドルームが存在するか、または少なくとも１つのパイロット・チャネルの電力および前記データ・ソース制御チャネルの電力が引き下げられてしまうまで前記第２の副次的なキャリア上の前記少なくとも１つのパイロット・チャネルおよび前記データ・ソース制御チャネルに関する電力を抑制するための手段。
[３２]  上記[２２]に記載の逆方向リンク上の電力を抑制するための手段、ここにおいて、
前記電力増幅器に十分なヘッドルームを提供するために電力を抑制するための前記手段は、前記主たる逆方向リンクキャリアの電力を抑制する前に前記少なくとも１つの副次的な逆方向リンクキャリアの電力を抑制するための手段を備え、
ここにおいて、少なくとも１つの副次的な逆方向リンクキャリアの電力を抑制するための前記手段は、下記の順序で電力を抑制することを備える：
第１の副次的なキャリア上のパイロット・チャネル、データ・チャネル、および逆方向レート・インジケータ・チャネルの電力のうちの１つまたは複数を抑制するための手段；
第２の副次的なキャリア上のデータ・ソース・チャネルに関する電力を抑制するための手段；
前記第２の副次的なキャリア上のデータ・チャネルおよび逆方向レート・インジケータ・チャネルの電力のうちの１つまたは複数に関する電力を抑制するための手段；
前記第２の副次的なキャリア上の少なくとも１つのデータ・レート制御チャネルに関する電力を抑制するための手段；
前記第２の副次的なキャリア上の少なくとも１つの肯定応答チャネルに関する電力を抑制するための手段；および、
前記第２の副次的なキャリア上の少なくとも１つのパイロット・チャネルおよび前記データ・ソース・チャネルに関する電力を抑制するための手段、
ここにおいて、主たる逆方向リンクキャリアの電力を抑制するための前記手段は、下記の順序で電力を抑制することを備える：
データ・ソース制御チャネルの電力をデフォルト・レベルまで引き下げるための手段；
十分な電力増幅器のヘッドルームが存在するか、または少なくとも１つのデータ・レート制御チャネルの電力が引き下げられてしまうまで前記主たる逆方向リンクキャリア上の前記少なくとも１つのデータ・レート制御チャネルに関する電力を抑制するための手段；  十分な電力増幅器のヘッドルームが存在するか、または少なくとも１つの肯定応答チャネルの電力が引き下げられてしまうまで前記主たる逆方向リンクキャリア上の前記少なくとも１つの肯定応答チャネルに関する電力を抑制するための手段；および、
十分なヘッドルームが存在するまでパイロット・チャネル、データ・チャネル、逆方向レート・インジケータ・チャネル、および前記データ・ソース制御チャネルの電力のうちの１つまたは複数を抑制するための手段。
[３３]  上記[２２]に記載の逆方向リンク上の電力を抑制するための手段、ここにおいて、
少なくとも１つの副次的な逆方向リンクキャリアの電力を抑制するための前記手段は下記を備える：
第１の副次的なキャリア上の１つまたは複数のパイロット・チャネルおよびデータチャネルの電力を抑制するための手段；
第２の副次的なキャリア上の１つまたは複数のデータ・チャネルの電力に関する電力を抑制するための手段；および、
前記第２の副次的なキャリア上の少なくとも１つのオーバヘッド・チャネルに関する電力を抑制するための手段。
[３４]  上記[２２]に記載の逆方向リンク上の電力を抑制するための手段、ここにおいて、
少なくとも１つの副次的な逆方向リンクキャリアの電力を抑制するための前記手段は下記を備える：
第１の副次的なキャリア上の１つまたは複数のパイロット・チャネルおよびデータチャネルの電力を抑制するための手段；
第２の副次的なキャリア上のデータ・チャネルの電力のうちの１つまたは複数に関する電力を抑制するための手段；
前記第２の副次的なキャリア上の少なくとも１つのオーバヘッド・チャネルに関する電力を抑制するための手段、
ここにおいて、主たる逆方向リンクキャリアの電力を抑制するための前記手段は下記を備える：
十分な電力増幅器のヘッドルームが存在するか、または少なくとも１つのデータ・レート制御チャネルの電力が引き下げられてしまうまで前記主たる逆方向リンクキャリア上の少なくとも１つのオーバヘッド・チャネルに関する電力を抑制するための手段；および、
十分なヘッドルームが存在するまでパイロット・チャネルおよびデータ・チャネルの電力のうちの１つまたは複数を抑制するための手段。
[３５]  電力増幅器に十分なヘッドルームを提供するために電力を抑制するステップを備える、逆方向リンク上の電力を抑制する方法。
[３６]  上記[３５]に記載の逆方向リンク上の電力を抑制する方法、ここにおいて、
電力増幅器に十分なヘッドルームを提供するために電力を抑制する前記ステップはさらに下記のステップを備える：
十分な電力増幅器のヘッドルームが存在するか、または複数のオーバヘッド・チャネルが引き下げられてしまうまで１つまたは複数の前記オーバヘッド・チャネルを抑制するステップ。
[３７]  上記[３５]記載の逆方向リンク上の電力を抑制する方法、ここにおいて、
電力増幅器に十分なヘッドルームを提供するために電力を抑制する前記ステップは、単一のキャリアを有する逆方向リンク上の電力を抑制することをさらに備え、前記ステップは下記を備える：
十分な電力増幅器のヘッドルームが存在するか、または少なくとも１つのデータ・レート制御チャネルの電力が引き下げられてしまうまで逆方向リンクキャリア上の少なくとも１つのオーバヘッド・チャネルに関する電力を抑制するステップ；および、
十分なヘッドルームが存在するまでパイロット・チャネルおよびデータ・チャネルの電力のうちの１つまたは複数を抑制するステップ。
[３８]  上記[３５]記載の逆方向リンク上の電力を抑制する方法、ここにおいて、
電力増幅器に十分なヘッドルームを提供するために電力を抑制する前記ステップは、下記の順序で単一のキャリアを有する逆方向リンク上の電力を抑制することをさらに備え、前記ステップは下記を備える：
データ・ソース制御チャネルの電力をデフォルト・レベルまで引き下げるステップ；
十分な電力増幅器のヘッドルームが存在するか、または少なくとも１つのデータ・レート制御チャネルの電力が引き下げられてしまうまで逆方向リンクキャリア上の前記少なくとも１つのデータ・レート制御チャネルに関する電力を抑制するステップ；
十分な電力増幅器のヘッドルームが存在するか、または少なくとも１つの肯定応答チャネルの電力が引き下げられてしまうまで前記逆方向リンクキャリア上の前記少なくとも１つの肯定応答チャネルに関する電力を抑制するステップ；および、
十分なヘッドルームが存在するまでパイロット・チャネル、データ・チャネル、逆方向レート・インジケータ・チャネル、および前記データ・ソース制御チャネルの電力のうちの１つまたは複数を抑制するステップ。
[３９]  上記[３５]記載の逆方向リンク上の電力を抑制する方法、ここにおいて、
電力増幅器に十分なヘッドルームを提供するために電力を抑制する前記ステップは複数のキャリアを有する逆方向リンク上の電力を抑制することをさらに備え、前記ステップは下記を備える：
少なくとも１つの副次的な逆方向リンクキャリアの電力を抑制するステップ；および、
主たる逆方向リンクキャリアの電力を抑制するステップ。
[４０]  上記[３６]記載の逆方向リンク上の電力を抑制する方法、ここにおいて、
前記１つまたは複数のオーバヘッド・チャネルは、下記のチャネルのうちの１つ又は複数を備える、
データ・ソース制御チャネル、データ・レート制御チャネル、肯定応答チャネル、パイロット・チャネル、および逆方向レート・インジケータ・チャネル。
[４１]  少なくとも１つのトラフィック・チャネルを抑制すること
をさらに備える、上記[３６]記載の逆方向リンク上の電力を抑制する方法。
[４２]  少なくとも１つのパイロット・チャネルを抑制するステップ
をさらに備える、上記[３６]記載の逆方向リンク上の電力を抑制する方法。
[４３]  少なくとも１つのトラフィック・チャネルおよび少なくとも１つのパイロット・チャネルを抑制するステップ
をさらに備える、上記[３６]記載の逆方向リンク上の電力を抑制する方法。
[４４]  上記[３９]に記載の逆方向リンク上の電力を抑制する方法、ここにおいて、
少なくとも１つの副次的な逆方向リンクキャリアの電力を抑制する前記ステップは下記を備える：
パイロット・チャネル、データ・チャネル、および逆方向レート・インジケータ・チャネルの電力のうちの１つまたは複数を抑制すること。
[４５]  上記[３９]記載の逆方向リンク上の電力を抑制する方法、ここにおいて、前記電力増幅器に十分なヘッドルームを提供するための前記ステップは、前記主たる逆方向リンクキャリアの電力を抑制する前に前記少なくとも１つの副次的な逆方向リンクキャリアの電力を抑制することをさらに備え、
ここにおいて、少なくとも１つの副次的な逆方向リンクキャリアの電力を抑制する前記ステップは、下記の順序で電力を抑制することを備える：
パイロット・チャネル、データ・チャネル、および逆方向レート・インジケータ・チャネルの電力のうちの１つまたは複数を抑制すること、
ここにおいて、主たる逆方向リンクキャリアの電力を抑制する前記ステップは、下記の順序で電力を抑制することを備える：
データ・ソース制御チャネルの電力をデフォルト・レベルまで引き下げること；
十分な電力増幅器のヘッドルームが存在するか、または少なくとも１つのデータ・レート制御チャネルの電力が引き下げられてしまうまで前記逆方向リンクキャリア上の前記少なくとも１つのデータ・レート制御チャネルに関する電力を抑制すること；
十分な電力増幅器のヘッドルームが存在するか、または少なくとも１つの肯定応答チャネルの電力が引き下げられてしまうまで前記逆方向リンクキャリア上の前記少なくとも１つの肯定応答チャネルに関する電力を抑制すること；および、
十分なヘッドルームが存在するまでパイロット・チャネル、データ・チャネル、逆方向レート・インジケータ・チャネル、および前記データ・ソース制御チャネルの電力のうちの１つまたは複数を抑制すること。
[４６]  上記[３９]に記載の逆方向リンク上の電力を抑制する方法、ここにおいて、
少なくとも１つの副次的な逆方向リンクキャリアの電力を抑制する前記ステップは下記を備える：
パイロット・チャネルおよびデータ・チャネルの電力のうちの１つまたは複数を抑制すること。
[４７]  上記[３９]に記載の逆方向リンク上の電力を抑制する方法、ここにおいて、
少なくとも１つの副次的な逆方向リンクキャリアの電力を抑制する前記ステップは、パイロット・チャネルおよびデータ・チャネルの電力のうちの１つまたは複数を抑制することを備え、
ここにおいて、主たる逆方向リンクキャリアの電力を抑制する前記ステップは下記を備える：
十分な電力増幅器のヘッドルームが存在するか、または少なくとも１つのデータ・レート制御チャネルの電力が引き下げられてしまうまで前記主たる逆方向リンクキャリア上の少なくとも１つのオーバヘッド・チャネルに関する電力を抑制すること；および、
十分なヘッドルームが存在するまでパイロット・チャネルおよびデータ・チャネルの電力のうちの１つまたは複数を抑制すること。
[４８]  上記[３９]記載の逆方向リンク上の電力を抑制する方法、ここにおいて、
少なくとも１つの副次的な逆方向リンクキャリアの電力を抑制する前記ステップは下記を備える：
第１の副次的なキャリア上のパイロット・チャネル、データ・チャネル、および逆方向レート・インジケータ・チャネルの電力のうちの１つまたは複数を抑制すること；
第２の副次的なキャリア上でデータ・ソース制御に関する電力をデフォルト・レベルまで引き下げること；
十分な電力増幅器のヘッドルームが存在するか、またはデータ・チャネルおよび逆方向レート・インジケータ・チャネルの電力が引き下げられてしまうまで前記第２の副次的なキャリア上の前記データ・チャネルおよび前記逆方向レート・インジケータ・チャネルの電力のうちの１つまたは複数に関する電力を抑制すること；
十分な電力増幅器のヘッドルームが存在するか、または少なくとも１つのデータ・レート制御チャネルの電力が引き下げられてしまうまで前記第２の副次的なキャリア上の前記少なくとも１つのデータ・レート制御チャネルに関する電力を抑制すること；
十分な電力増幅器のヘッドルームが存在するか、または少なくとも１つの肯定応答チャネルの電力が引き下げられてしまうまで前記第２の副次的なキャリア上の前記肯定応答チャネルに関する電力を抑制すること；および、
十分な電力増幅器のヘッドルームが存在するか、または少なくとも１つのパイロット・チャネルおよび前記データ・ソース制御チャネルの電力が引き下げられてしまうまで前記第２の副次的なキャリア上の前記少なくとも１つのパイロット・チャネルおよび前記データ・ソース制御チャネルに関する電力を抑制すること。
[４９]  上記[３９]に記載の逆方向リンク上の電力を抑制する方法、ここにおいて、
前記電力増幅器に十分なヘッドルームを提供するために電力を抑制するための前記命令は、前記主たる逆方向リンクキャリアの電力を抑制する前に前記少なくとも１つの副次的な逆方向リンクキャリアの電力を抑制することを備え、
ここにおいて、少なくとも１つの副次的な逆方向リンクキャリアの電力を抑制する前記ステップは、下記の順序で電力を抑制することを備える：
第１の副次的なキャリア上のパイロット・チャネル、データ・チャネル、および逆方向レート・インジケータ・チャネルの電力のうちの１つまたは複数を抑制すること；
第２の副次的なキャリア上のデータ・ソース・チャネルに関する電力を抑制すること；
前記第２の副次的なキャリア上のデータ・チャネルおよび逆方向レート・インジケータ・チャネルの電力のうちの１つまたは複数に関する電力を抑制すること；
前記第２の副次的なキャリア上の少なくとも１つのデータ・レート制御チャネルに関する電力を抑制すること；
前記第２の副次的なキャリア上の少なくとも１つの肯定応答チャネルに関する電力を抑制すること；および、
前記第２の副次的なキャリア上の少なくとも１つのパイロット・チャネルおよび前記データ・ソース・チャネルに関する電力を抑制すること、
ここにおいて、主たる逆方向リンクキャリアの電力を抑制する前記ステップは、下記の順序で電力を抑制することを備える：
データ・ソース制御チャネルの電力をデフォルト・レベルまで引き下げること；
十分な電力増幅器のヘッドルームが存在するか、または少なくとも１つのデータ・レート制御チャネルの電力が引き下げられてしまうまで前記主たる逆方向リンクキャリア上の前記少なくとも１つのデータ・レート制御チャネルに関する電力を抑制すること；
十分な電力増幅器のヘッドルームが存在するか、または少なくとも１つの肯定応答チャネルの電力が引き下げられてしまうまで前記主たる逆方向リンクキャリア上の前記少なくとも１つの肯定応答チャネルに関する電力を抑制すること；および、
十分なヘッドルームが存在するまでパイロット・チャネル、データ・チャネル、逆方向レート・インジケータ・チャネル、および前記データ・ソース制御チャネルの電力のうちの１つまたは複数を抑制すること。
[５０]  上記[３５]に記載の逆方向リンク上の電力を抑制する方法、ここにおいて、
少なくとも１つの副次的な逆方向リンクキャリアの電力を抑制する前記ステップは下記を備える：
第１の副次的なキャリア上の１つまたは複数のパイロット・チャネルおよびデータチャネルの電力を抑制すること；
第２の副次的なキャリア上の１つまたは複数のデータ・チャネルの電力に関する電力を抑制すること；および、
前記第２の副次的なキャリア上の少なくとも１つのオーバヘッド・チャネルに関する電力を抑制すること。
[５１]  上記[３５]に記載の逆方向リンク上の電力を抑制する方法、ここにおいて、
少なくとも１つの副次的な逆方向リンクキャリアの電力を抑制する前記ステップは下記を備える：
第１の副次的なキャリア上の１つまたは複数のパイロット・チャネルおよびデータ・チャネルの電力を抑制すること；
第２の副次的なキャリア上のデータ・チャネルの電力のうちの１つまたは複数に関する電力を抑制すること；および、
前記第２の副次的なキャリア上の少なくとも１つのオーバヘッド・チャネルに関する電力を抑制すること、
ここにおいて、主たる逆方向リンクキャリアの電力を抑制する前記ステップは下記を備える：
十分な電力増幅器のヘッドルームが存在するか、または少なくとも１つのデータ・レート制御チャネルの電力が引き下げられてしまうまで前記主たる逆方向リンクキャリア上の少なくとも１つのオーバヘッド・チャネルに関する電力を抑制すること；および、
十分なヘッドルームが存在するまでパイロット・チャネルおよびデータ・チャネルの電力のうちの１つまたは複数を抑制すること。
【図１Ａ】
0005425861.tif 000017
【図１Ｂ】
0005425861.tif 000018
【図２】
0005425861.tif 000019
【図３】
0005425861.tif 000020
【図４】
0005425861.tif 000021
【図５】
0005425861.tif 000022
【図６】
0005425861.tif 000023
【図７】
0005425861.tif 000024
【図８】
0005425861.tif 000025
【図９】
0005425861.tif 000026
【図１０】
0005425861.tif 000027
【図１１】
0005425861.tif 000028
【図１２】
0005425861.tif 000029
【図１３】
0005425861.tif 000030
【図１４】
0005425861.tif 000031
【図１５】
0005425861.tif 000032
【図１６】
0005425861.tif 000033
【図１７】
0005425861.tif 000034
【図１８】
0005425861.tif 000035
【図１９】
0005425861.tif 000036
【図２０】
0005425861.tif 000037
【図２１】
0005425861.tif 000038
【図２２】
0005425861.tif 000039
【図２３】
0005425861.tif 000040
【図２４】
0005425861.tif 000041
【図２５】
0005425861.tif 000042
【図２６】
0005425861.tif 000043
【図２７】
0005425861.tif 000044
【図２８】
0005425861.tif 000045